(57)【要約】【課題】表示パネルの表示階調よりも高い階調表現が可能な表示装置を提供する。【解決手段】表示装置１は、Ｒ副画素４０Ｒ、Ｇ副画素４０Ｇ、Ｂ副画素４０Ｂの３原色の各副画素に加え、Ｗ副画素４０Ｗを含む複数の画素４０で構成される表示パネル３０と、Ｒ、Ｇ、Ｂの各階調データを含む画像信号を、Ｒ、Ｇ、Ｂの各階調データを含むＲＧＢ信号（第１信号）、及び、Ｗの階調データを含むＷ信号（第２信号）に変換して出力する信号処理部１００と、を備える。信号処理部１００は、画像信号の各階調データが同じ値であるとき、ＲＧＢ信号（第１信号）の各階調データとＷ信号（第２信号）の階調データとが、互いに同じ値となる場合と、互いに１だけずれた値となる場合とが混在する。【選択図】図６
2020144198.tif 000002
【特許請求の範囲】
【請求項１】
第１の色を表示する第１画素、第２の色を表示する第２画素、第３の色を表示する第３画素、及び第４の色を表示する第４画素をそれぞれ複数有する表示パネルと、
前記第１の色、前記第２の色、及び前記第３の色の各階調データを含む画像信号を、前記第１の色、前記第２の色、及び前記第３の色の各階調データを含む第１信号、及び、前記第４の色の階調データを含む第２信号に変換して出力する信号処理部と、
を備え、
前記信号処理部は、
前記画像信号の各階調データが同じ値であるとき、前記第１信号の各階調データと前記第２信号の階調データとが、互いに同じ値となる場合と、互いに１だけずれた値となる場合とが混在する
表示装置。
【請求項２】
前記第１の色、前記第２の色、及び前記第３の色は、赤、緑、及び青の３原色であり、前記第４の色は、白である
請求項１に記載の表示装置。
【請求項３】
前記信号処理部は、
前記画像信号の各階調データが同じ値であるとき、前記画像信号の各階調データを１ステップずつ増加させた場合に、前記第１信号の各階調データと前記第２信号の階調データとが交互に増加し、前記画像信号の各階調データを１ステップずつ減少させた場合に、前記第１信号の各階調データと前記第２信号の階調データとが交互に減少する
請求項１又は２に記載の表示装置。
【請求項４】
前記信号処理部は、
第１ビット深度の前記第１信号、及び、前記第２信号の階調データを、前記第１ビット深度よりも小さい第２ビット深度に変換する階調処理部を備える
請求項１乃至３の何れか一項に記載の表示装置。
【請求項５】
前記第１画素、前記第２画素、及び前記第３画素の表示輝度と前記第４画素の表示輝度との比は、１：１である
請求項４に記載の表示装置。
【請求項６】
前記第２ビット深度は、前記第１ビット深度よりも１小さい
請求項５に記載の表示装置。
【請求項７】
前記階調処理部は、
第１ビット深度の前記第１信号の各階調データの０ｂｉｔ目を切り捨てて第２ビット深度とし、
第１ビット深度の前記第２信号の階調データに１を加算した後、０ｂｉｔ目を切り捨てて第２ビット深度とする
請求項６に記載の表示装置。
【請求項８】
前記階調処理部は、
第１ビット深度の前記第１信号の各階調データに１を加算した後、０ｂｉｔ目を切り捨てて第２ビット深度とし、
第１ビット深度の前記第２信号の階調データの０ｂｉｔ目を切り捨てて第２ビット深度とする
請求項６に記載の表示装置。
【請求項９】
前記第１画素、前記第２画素、及び前記第３画素の表示輝度と前記第４画素の表示輝度との比は、２：１である
請求項４に記載の表示装置。
【請求項１０】
前記第２ビット深度は、前記第１ビット深度よりも２小さい
請求項９に記載の表示装置。
【請求項１１】
前記階調処理部は、
第１ビット深度の前記第１信号の各階調データの１ｂｉｔ目の値を２ｂｉｔ目に加算した後、１ｂｉｔ目以下を切り捨てて第２ビット深度とし、
第１ビット深度の前記第２信号の階調データの０ｂｉｔ目の値を２ｂｉｔ目に加算した後、１ｂｉｔ目以下を切り捨てて第２ビット深度とする
請求項１０に記載の表示装置。
【請求項１２】
前記階調処理部は、
第１ビット深度の前記第１信号の各階調データの０ｂｉｔ目の値を２ｂｉｔ目に加算し、１ｂｉｔ目以下を切り捨てて第２ビット深度とし、
第１ビット深度の前記第２信号の階調データの１ｂｉｔ目の値を２ｂｉｔ目に加算し、１ｂｉｔ目以下を切り捨てて第２ビット深度とする
請求項１０に記載の表示装置。
【請求項１３】
１フレームの画像を複数のサブフレームに時分割して前記表示パネルに供給するＦＲＣ制御部をさらに備え、
前記ＦＲＣ制御部は、
前記第１信号の各階調データ及び前記第２信号の階調データに応じた複数の表示パターンで前記表示パネルに表示する
請求項５乃至１２の何れか一項に記載の表示装置。
【請求項１４】
前記第１画素、前記第２画素、前記第３画素、及び前記第４画素は、それぞれ所定の面積比を有する複数のセグメントで構成され、前記セグメント毎に２値のデータを記憶可能なメモリを有し、
前記表示パネルは、
前記第１信号の各階調データ及び前記第２信号の階調データに応じた複数の表示パターンで表示する
請求項５乃至１２の何れか一項に記載の表示装置。
【発明の詳細な説明】
【技術分野】
【０００１】
本発明は、表示装置に関する。
【背景技術】
【０００２】
表示素子として液晶表示素子を用いた液晶表示パネルや、表示素子として有機発光ダイオード（ＯＬＥＤ：  Ｏｒｇａｎｉｃ  Ｌｉｇｈｔ  Ｅｍｉｔｔｉｎｇ  Ｄｉｏｄｅ）を用いた有機ＥＬ表示パネル等において、例えば輝度の向上を目的として、従来のＲ（赤）副画素、Ｇ（緑）副画素、Ｂ（青）副画素に加え、Ｗ（白）画素を加えた、所謂ＲＧＢＷ方式の表示パネルを用いた表示装置が知られている（例えば、特許文献１）。
【先行技術文献】
【特許文献】
【０００３】
【特許文献１】特開２００２−１４９１１６号公報
【発明の概要】
【発明が解決しようとする課題】
【０００４】
表示品質の向上に伴い、映像信号のビット深度、すなわち階調数が大きくなりつつあり、表示装置においても、より高い階調表現が望まれている。表示装置における階調表現は、表示パネルの表示階調に依存するため、表示パネルの表示階調よりも高い階調表現ができないという課題がある。
【０００５】
本発明は、表示パネルの表示階調よりも高い階調表現が可能な表示装置を提供することを目的とする。
【課題を解決するための手段】
【０００６】
本発明の一態様に係る表示装置は、第１の色を表示する第１画素、第２の色を表示する第２画素、第３の色を表示する第３画素、及び第４の色を表示する第４画素をそれぞれ複数有する表示パネルと、前記第１の色、前記第２の色、及び前記第３の色の各階調データを含む画像信号を、前記第１の色、前記第２の色、及び前記第３の色の各階調データを含む第１信号、及び、前記第４の色の階調データを含む第２信号に変換して出力する信号処理部と、を備え、前記信号処理部は、前記画像信号の各階調データが同じ値であるとき、前記第１信号の各階調データと前記第２信号の階調データとが、互いに同じ値となる場合と、互いに１だけずれた値となる場合とが混在する。
【図面の簡単な説明】
【０００７】
【図１】図１は、実施形態１に係る表示装置の構成の一例を示すブロック図である。
【図２】図２は、実施形態１に係る信号処理部の構成の一例を示すブロック図である。
【図３】図３は、実施形態１に係る第１ビット演算部における階調処理の過程の一例を示す図である。
【図４】図４は、実施形態１に係る第２ビット演算部における階調処理の過程の一例を示す図である。
【図５】図５は、実施形態１の表示パネル上において視認される表示階調値を示す図である。
【図６】図６は、実施形態１に係る表示装置における各部階調と表示パネル上において視認される表示階調値との関係を模式的に示す図である。
【図７】図７は、実施形態１に係る表示パネルの画素構成の一例を示す図である。
【図８Ａ】図８Ａは、Ｒ副画素、Ｇ副画素、Ｂ副画素、及びＷ副画素の図５及び図６のＡに示す表示パターンを示す図である。
【図８Ｂ】図８Ｂは、Ｒ副画素、Ｇ副画素、Ｂ副画素、及びＷ副画素の図５及び図６のＢに示す表示パターンを示す図である。
【図８Ｃ】図８Ｃは、Ｒ副画素、Ｇ副画素、Ｂ副画素、及びＷ副画素の図５及び図６のＣに示す表示パターンを示す図である。
【図９】図９は、実施形態１の変形例に係る信号処理部の構成の一例を示すブロック図である。
【図１０】図１０は、実施形態２に係る信号処理部の構成の一例を示すブロック図である。
【図１１】図１１は、実施形態２に係る第１ビット演算部における階調処置の過程の一例を示す図である。
【図１２】図１２は、実施形態２に係る第２ビット演算部における階調処置の過程の一例を示す図である。
【図１３】図１３は、実施形態２の表示パネル上において視認される表示階調値を示す図である。
【図１４】図１４は、実施形態２に係る表示装置における各部階調と表示パネル上において視認される表示階調値との関係を模式的に示す図である。
【図１５】図１５は、実施形態２に係る表示パネルの画素構成の一例を示す図である。
【図１６Ａ】図１６Ａは、Ｒ副画素、Ｇ副画素、Ｂ副画素、及びＷ副画素の図１３及び図１４のＡに示す表示パターンの一例を示す図である。
【図１６Ｂ】図１６Ｂは、Ｒ副画素、Ｇ副画素、Ｂ副画素、及びＷ副画素の図１３及び図１４のＢに示す表示パターンの一例を示す図である。
【図１６Ｃ】図１６Ｃは、Ｒ副画素、Ｇ副画素、Ｂ副画素、及びＷ副画素の図１３及び図１４のＣに示す表示パターンの一例を示す図である。
【図１６Ｄ】図１６Ｄは、Ｒ副画素、Ｇ副画素、Ｂ副画素、及びＷ副画素の図１３及び図１４のＤに示す表示パターンの一例を示す図である。
【図１６Ｅ】図１６Ｅは、Ｒ副画素、Ｇ副画素、Ｂ副画素、及びＷ副画素の図１３及び図１４のＥに示す表示パターンの一例を示す図である。
【図１６Ｆ】図１６Ｆは、Ｒ副画素、Ｇ副画素、Ｂ副画素、及びＷ副画素の図１３及び図１４のＦに示す表示パターンの一例を示す図である。
【図１６Ｇ】図１６Ｇは、Ｒ副画素、Ｇ副画素、Ｂ副画素、及びＷ副画素の図１３及び図１４のＧに示す表示パターンの一例を示す図である。
【図１６Ｈ】図１６Ｈは、Ｒ副画素、Ｇ副画素、Ｂ副画素、及びＷ副画素の図１３及び図１４のＨに示す表示パターンの一例を示す図である。
【図１７】図１７は、実施形態３に係る信号処理部の構成の一例を示すブロック図である。
【図１８】図１８は、実施形態３に係る第１ビット演算部における階調処理の過程の一例を示す図である。
【図１９】図１９は、実施形態３に係る第２ビット演算部における階調処理の過程の一例を示す図である。
【図２０】図２０は、実施形態３の表示パネル上において視認される表示階調値を示す図である。
【図２１】図２１は、実施形態３に係る表示装置における各部階調と表示パネル上において視認される表示階調値との関係を模式的に示す図である。
【図２２】図２２は、実施形態３に係る表示パネルの画素構成の一例を示す図である。
【図２３Ａ】図２３Ａは、Ｒ副画素、Ｇ副画素、Ｂ副画素、及びＷ副画素の図２０及び図２１のＡに示す表示パターンの一例を示す図である。
【図２３Ｂ】図２３Ｂは、Ｒ副画素、Ｇ副画素、Ｂ副画素、及びＷ副画素の図２０及び図２１のＢに示す表示パターンの一例を示す図である。
【図２３Ｃ】図２３Ｃは、Ｒ副画素、Ｇ副画素、Ｂ副画素、及びＷ副画素の図２０及び図２１のＣに示す表示パターンの一例を示す図である。
【図２３Ｄ】図２３Ｄは、Ｒ副画素、Ｇ副画素、Ｂ副画素、及びＷ副画素の図２０及び図２１のＤに示す表示パターンの一例を示す図である。
【図２３Ｅ】図２３Ｅは、Ｒ副画素、Ｇ副画素、Ｂ副画素、及びＷ副画素の図２０及び図２１のＥに示す表示パターンの一例を示す図である。
【図２３Ｆ】図２３Ｆは、Ｒ副画素、Ｇ副画素、Ｂ副画素、及びＷ副画素の図２０及び図２１のＦに示す表示パターンの一例を示す図である。
【図２３Ｇ】図２３Ｇは、Ｒ副画素、Ｇ副画素、Ｂ副画素、及びＷ副画素の図２０及び図２１のＧに示す表示パターンの一例を示す図である。
【図２３Ｈ】図２３Ｈは、Ｒ副画素、Ｇ副画素、Ｂ副画素、及びＷ副画素の図２０及び図２１のＨに示す表示パターンの一例を示す図である。
【図２３Ｉ】図２３Ｉは、Ｒ副画素、Ｇ副画素、Ｂ副画素、及びＷ副画素の図２０及び図２１のＩに示す表示パターンの一例を示す図である。
【図２３Ｊ】図２３Ｊは、Ｒ副画素、Ｇ副画素、Ｂ副画素、及びＷ副画素の図２０及び図２１のＪに示す表示パターンの一例を示す図である。
【図２３Ｋ】図２３Ｋは、Ｒ副画素、Ｇ副画素、Ｂ副画素、及びＷ副画素の図２０及び図２１のＫに示す表示パターンの一例を示す図である。
【図２３Ｌ】図２３Ｌは、Ｒ副画素、Ｇ副画素、Ｂ副画素、及びＷ副画素の図２０及び図２１のＬに示す表示パターンの一例を示す図である。
【図２３Ｍ】図２３Ｍは、Ｒ副画素、Ｇ副画素、Ｂ副画素、及びＷ副画素の図２０及び図２１のＭに示す表示パターンの一例を示す図である。
【図２３Ｎ】図２３Ｎは、Ｒ副画素、Ｇ副画素、Ｂ副画素、及びＷ副画素の図２０及び図２１のＮに示す表示パターンの一例を示す図である。
【図２３Ｏ】図２３Ｏは、Ｒ副画素、Ｇ副画素、Ｂ副画素、及びＷ副画素の図２０及び図２１のＯに示す表示パターンの一例を示す図である。
【図２４】図２４は、実施形態４に係る信号処理部の構成の一例を示すブロック図である。
【図２５】図２５は、実施形態４に係る第１ビット演算部における階調処理の過程の一例を示す図である。
【図２６】図２６は、実施形態４に係る第２ビット演算部における階調処理の過程の一例を示す図である。
【図２７】図２７は、実施形態４の表示パネル上において視認される表示階調値を示す図である。
【図２８】図２８は、実施形態４に係る表示装置における各部階調と表示パネル上において視認される表示階調値との関係を模式的に示す図である。
【図２９Ａ】図２９Ａは、Ｒ副画素、Ｇ副画素、Ｂ副画素、及びＷ副画素の図２７及び図２８のＡに示す表示パターンの一例を示す図である。
【図２９Ｂ】図２９Ｂは、Ｒ副画素、Ｇ副画素、Ｂ副画素、及びＷ副画素の図２７及び図２８のＢに示す表示パターンの一例を示す図である。
【図２９Ｃ】図２９Ｃは、Ｒ副画素、Ｇ副画素、Ｂ副画素、及びＷ副画素の図２７及び図２８のＣに示す表示パターンの一例を示す図である。
【図２９Ｄ】図２９Ｄは、Ｒ副画素、Ｇ副画素、Ｂ副画素、及びＷ副画素の図２７及び図２８のＤに示す表示パターンの一例を示す図である。
【図２９Ｅ】図２９Ｅは、Ｒ副画素、Ｇ副画素、Ｂ副画素、及びＷ副画素の図２７及び図２８のＥに示す表示パターンの一例を示す図である。
【図２９Ｆ】図２９Ｆは、Ｒ副画素、Ｇ副画素、Ｂ副画素、及びＷ副画素の図２７及び図２８のＦに示す表示パターンの一例を示す図である。
【図２９Ｇ】図２９Ｇは、Ｒ副画素、Ｇ副画素、Ｂ副画素、及びＷ副画素の図２７及び図２８のＧに示す表示パターンの一例を示す図である。
【図２９Ｈ】図２９Ｈは、Ｒ副画素、Ｇ副画素、Ｂ副画素、及びＷ副画素の図２７及び図２８のＨに示す表示パターンの一例を示す図である。
【図２９Ｉ】図２９Ｉは、Ｒ副画素、Ｇ副画素、Ｂ副画素、及びＷ副画素の図２７及び図２８のＩに示す表示パターンの一例を示す図である。
【図２９Ｊ】図２９Ｊは、Ｒ副画素、Ｇ副画素、Ｂ副画素、及びＷ副画素の図２７及び図２８のＪに示す表示パターンの一例を示す図である。
【図２９Ｋ】図２９Ｋは、Ｒ副画素、Ｇ副画素、Ｂ副画素、及びＷ副画素の図２７及び図２８のＫに示す表示パターンの一例を示す図である。
【図２９Ｌ】図２９Ｌは、Ｒ副画素、Ｇ副画素、Ｂ副画素、及びＷ副画素の図２７及び図２８のＬに示す表示パターンの一例を示す図である。
【図２９Ｍ】図２９Ｍは、Ｒ副画素、Ｇ副画素、Ｂ副画素、及びＷ副画素の図２７及び図２８のＭに示す表示パターンの一例を示す図である。
【図２９Ｎ】図２９Ｎは、Ｒ副画素、Ｇ副画素、Ｂ副画素、及びＷ副画素の図２７及び図２８のＮに示す表示パターンの一例を示す図である。
【図２９Ｏ】図２９Ｏは、Ｒ副画素、Ｇ副画素、Ｂ副画素、及びＷ副画素の図２７及び図２８のＯに示す表示パターンの一例を示す図である。
【図２９Ｐ】図２９Ｐは、Ｒ副画素、Ｇ副画素、Ｂ副画素、及びＷ副画素の図２７及び図２８のＰに示す表示パターンの一例を示す図である。
【図２９Ｑ】図２９Ｑは、Ｒ副画素、Ｇ副画素、Ｂ副画素、及びＷ副画素の図２７及び図２８のＱに示す表示パターンの一例を示す図である。
【図２９Ｒ】図２９Ｒは、Ｒ副画素、Ｇ副画素、Ｂ副画素、及びＷ副画素の図２７及び図２８のＲに示す表示パターンの一例を示す図である。
【図２９Ｓ】図２９Ｓは、Ｒ副画素、Ｇ副画素、Ｂ副画素、及びＷ副画素の図２７及び図２８のＳに示す表示パターンの一例を示す図である。
【図２９Ｔ】図２９Ｔは、Ｒ副画素、Ｇ副画素、Ｂ副画素、及びＷ副画素の図２７及び図２８のＴに示す表示パターンの一例を示す図である。
【図２９Ｕ】図２９Ｕは、Ｒ副画素、Ｇ副画素、Ｂ副画素、及びＷ副画素の図２７及び図２８のＵに示す表示パターンの一例を示す図である。
【図２９Ｖ】図２９Ｖは、Ｒ副画素、Ｇ副画素、Ｂ副画素、及びＷ副画素の図２７及び図２８のＶに示す表示パターンの一例を示す図である。
【発明を実施するための形態】
【０００８】
本発明を実施するための形態（実施形態）につき、図面を参照しつつ詳細に説明する。なお、以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。また、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
図１は、実施形態１に係る表示装置の構成の一例を示すブロック図である。図１に示すように、実施形態１の表示装置１は、信号処理部１００と、表示パネル３０と、を備える。
【００１０】
表示パネル３０は、画素４０が２次元のマトリクス状（行列状）に配列された表示領域３０ａを有する。本実施形態において、表示パネル３０は、画素４０を構成する表示素子として液晶表示素子を用いた液晶表示パネルを例示している。表示パネル３０は、表示素子として有機発光ダイオード（ＯＬＥＤ：  Ｏｒｇａｎｉｃ  Ｌｉｇｈｔ  Ｅｍｉｔｔｉｎｇ  Ｄｉｏｄｅ）を用いた有機ＥＬ表示パネルや無機発光ダイオード（マイクロＬＥＤ（ｍｉｃｒｏ  ＬＥＤ））を用いた無機ＥＬディスプレイ等であっても良い。画素４０を構成する表示素子の態様により本開示が限定されるものではない。
【００１１】
画素４０は、Ｒ（赤）副画素（第１画素）、Ｇ（緑）副画素（第２画素）、Ｂ（青）副画素（第３画素）の３原色の各副画素に加え、Ｗ（白）副画素（第４画素）を含む複数の副画素で構成される。画素４０を構成する各副画素については後述する。
【００１２】
また、表示パネル３０は、信号出力回路３１と、走査回路３２と、を備える。信号出力回路３１は、信号線ＤＴＬによって各画素４０に含まれる各副画素と電気的に接続されている。信号出力回路３１は、順次、各画素４０に含まれる各副画素に出力信号を出力する。走査回路３２は、走査線ＳＣＬによって各画素４０に含まれる各副画素と電気的に接続されている。走査回路３２は、各画素４０に含まれる各副画素を選択し、各副画素の動作を制御するためのスイッチング素子（例えば、薄膜トランジスタ（ＴＦＴ；Thin  Film  Transistor））のオン及びオフを制御する。
【００１３】
表示パネル３０は、Ｒ（赤）副画素（第１画素）、Ｇ（緑）副画素（第２画素）、Ｂ（青）副画素（第３画素）、及びＷ（白）副画素（第４画素）に対し、それぞれ所定のビット数の表示階調を有している。本実施形態では、表示パネル３０の表示階調が２５６階調、すなわち、８ビット深度の階調表現が可能である例について説明するが、表示パネル３０の表示階調は２５６階調に限るものではない。
【００１４】
本実施形態において、Ｒ（赤）副画素（第１画素）、Ｇ（緑）副画素（第２画素）、Ｂ（青）副画素（第３画素）の表示輝度と、Ｗ（白）副画素（第４画素）の表示輝度との比は、１：１である。換言すれば、１つの画素において白を表示するときの輝度を「１」とすると、Ｒ（赤）副画素（第１画素）、Ｇ（緑）副画素（第２画素）、Ｂ（青）副画素（第３画素）の輝度、及び、Ｗ（白）副画素（第４画素）の輝度は、それぞれ「０．５」となる。
【００１５】
図２は、実施形態１に係る信号処理部の構成の一例を示すブロック図である。信号処理部１００は、画像処理部１０と、階調処理部２０と、を備える。
【００１６】
信号処理部１００には、上位システムのホストＩＣ２００から、Ｒ（赤）、Ｇ（緑）、Ｂ（青）の３原色の各階調データを含む画像信号が入力される。本実施形態では、画像信号のＲ（赤）、Ｇ（緑）、Ｂ（青）の３原色の各階調データが１副画素当たり８ビット深度である例について説明するが、画像信号の各階調データは８ビット深度に限るものではない。
【００１７】
画像処理部１０は、入力されたＲ（赤）、Ｇ（緑）、Ｂ（青）の各色８ビット深度の各階調データを含む画像信号を、Ｒ（赤）、Ｇ（緑）、Ｂ（青）の各色９ビット深度の各階調データを含むＲＧＢ信号（第１信号）、及び、Ｗ（白）の９ビット深度の階調データを含むＷ信号（第２信号）に変換する。画像処理部１０における画像変換処理については、例えば、公知の特開２００２−１４９１１６号公報に記載された手法を用いることができる。画像処理部１０における画像変換処理の手法により、本開示が限定されるものではない。
【００１８】
具体的には、例えば、画像信号の各階調データが８ビット深度である場合、画像処理部１０は、伸張処理等の内部演算処理によって端数が生じた分の１ビット分のデータを、Ｒ（赤）、Ｇ（緑）、Ｂ（青）、Ｗ（白）の各階調データに最下位ビットとして加える。これにより、画像処理部１０は、ビット深度が増加した９ビット深度のＲＧＢ信号（第１信号）及び９ビット深度のＷ信号（第２信号）を出力する。
【００１９】
階調処理部２０は、第１ビット演算部２０１及び第２ビット演算部２０２を備える。第１ビット演算部２０１は、画像処理部１０から出力される９ビット深度のＲＧＢ信号に対し、後述する第１ビット演算処理を行い、８ビット深度のＲＧＢ信号を生成して出力する。第２ビット演算部２０２は、画像処理部１０から出力される９ビット深度のＷ信号に対し、後述する第２ビット演算処理を行い、８ビット深度のＷ信号を生成して出力する。
【００２０】
次に、実施形態１に係る表示装置１の信号処理例について、図３乃至図６を参照して説明する。
【００２１】
図３は、実施形態１に係る第１ビット演算部における階調処理の過程の一例を示す図である。図４は、実施形態１に係る第２ビット演算部における階調処理の過程の一例を示す図である。図５は、実施形態１の表示パネル上において視認される表示階調値を示す図である。図６は、実施形態１に係る表示装置における各部階調と表示パネル上において視認される表示階調値との関係を模式的に示す図である。
【００２２】
図３及び図４に示すように、信号処理部１００に入力された画像信号に含まれるＲ（赤）、Ｇ（緑）、Ｂ（青）の各階調データは、画像処理部１０における伸張処理等の画像処理の過程でビット数が増加する。実施形態１においては、画像処理部１０に入力された８ビット深度（２５６階調）のＲ（赤）、Ｇ（緑）、Ｂ（青）の各階調データが、９ビット深度（５１２階調）のＲ（赤）、Ｇ（緑）、Ｂ（青）の各階調データを含むＲＧＢ信号、及び、９ビット深度（５１２階調）のＷ（白）の階調データを含むＷ信号に変換される場合を想定する。９ビット深度（５１２階調）の各階調データに変換されたＲＧＢ信号は、階調処理部２０の第１ビット演算部２０１に入力される。９ビット深度（５１２階調）の階調データに変換されたＷ信号は、階調処理部２０の第２ビット演算部２０２に入力される。ここで、９ビット深度の各階調データの最下位ビットを「０ｂｉｔ目」とし、最上位ビットを「８ｂｉｔ目」とする。このとき、図３及び図４に示すように、画像処理部１０における画像処理後のＲＧＢ信号の各階調データ及びＷ信号の階調データの０ｂｉｔ目の値は、「０」及び「１」の何れか一方を取り得る。
【００２３】
階調処理部２０の第１ビット演算部２０１は、９ビット深度（５１２階調）のＲＧＢ信号の各階調データを８ビット深度（２５６階調）に変換する。具体的に、第１ビット演算部２０１は、図３に示すように、９ビット深度（５１２階調）のＲ（赤）、Ｇ（緑）、Ｂ（青）の各階調データの０ｂｉｔ目（最下位ビット）を切り捨てて８ビット深度とし、表示パネル３０に出力する。
【００２４】
階調処理部２０の第２ビット演算部２０２は、９ビット深度（５１２階調）のＷ信号の階調データを８ビット深度（２５６階調）に変換する。具体的に、第２ビット演算部２０２は、図４に示すように、９ビット深度（５１２階調）のＷ（白）の階調データにデータ値「１」を加算した後、０ｂｉｔ目（最下位ビット）を切り捨てて８ビット深度とし、表示パネル３０に出力する。なお、画像処理部１０における画像処理後の９ビット深度（５１２階調）のＷ信号の階調データ「１１１１１１１１１」に対しては、階調処理部２０の第２ビット演算部２０２の階調処理において、データ値「１」の加算を行わない（図中※印参照）。これにより、ビットオーバーフローを防ぐことができる。
【００２５】
以下、階調処理部２０の第１ビット演算部２０１及び第２ビット演算部２０２における処理を、単に「階調処理」とも称する。
【００２６】
ここで、階調処理前のＲＧＢ信号（第１信号）の各階調データとＷ信号（第２信号）の階調データとが同じ値であるとき、階調処理後のＲＧＢ信号（第１信号）の各階調データとＷ信号（第２信号）の階調データとが、互いに同じ値となる場合と、互いに１だけずれた値となる場合とが混在する。この階調処理後のＲＧＢ信号（第１信号）の各階調データとＷ信号（第２信号）の階調データとが、互いに１だけずれた値となる場合に、８ビット深度、すなわち、２５６階調の階調表現が可能な表示パネル３０において、各階調値の中間値を表現することができる。具体的には、８ビット深度（２５６階調）の中間値を表現することができるので、８ビット深度（２５６階調）の階調表現が可能な表示パネル３０上において視認される見かけの階調を５１１段階とすることができる。
【００２７】
図５及び図６に示すように、階調処理後のＲ（赤）、Ｇ（緑）、Ｂ（青）の各階調データの階調値が「１２７」、階調処理後のＷ（白）の階調データの階調値が「１２７」であるとき、階調処理後のＲ（赤）、Ｇ（緑）、Ｂ（青）の各階調データの階調値「１２７」とＷ（白）の階調データの階調値「１２７」とを加算すると「２５４」となる。このとき、８ビット深度（２５６階調）の階調表現が可能な表示パネル３０において表示される画像の見かけ上の表示階調値は「１２７．０」となる（図５及び図６のＡ参照）。
【００２８】
また、図５及び図６に示すように、階調処理後のＲ（赤）、Ｇ（緑）、Ｂ（青）の各階調データの階調値が「１２７」、階調処理後のＷ（白）の階調データの階調値が「１２８」であるとき、階調処理後のＲ（赤）、Ｇ（緑）、Ｂ（青）の各階調データの階調値「１２７」とＷ（白）の階調データの階調値「１２８」とを加算すると「２５５」となる。このとき、８ビット深度（２５６階調）の階調表現が可能な表示パネル３０において表示される画像の見かけ上の表示階調値は「１２７．５」となる（図５及び図６のＢ参照）。
【００２９】
また、図５及び図６に示すように、階調処理後のＲ（赤）、Ｇ（緑）、Ｂ（青）の各階調データの階調値が「１２８」、階調処理後のＷ（白）の階調データの階調値が「１２８」であるとき、階調処理後のＲ（赤）、Ｇ（緑）、Ｂ（青）の各階調データの階調値「１２８」とＷ（白）の階調データの階調値「１２８」とを加算すると「２５６」となる。このとき、８ビット深度（２５６階調）の階調表現が可能な表示パネル３０において表示される画像の見かけ上の表示階調値は「１２８．０」となる（図５及び図６のＣ参照）。
【００３０】
このように、本実施形態では、８ビット深度（２５６階調）の階調表現が可能な表示パネル３０において、各階調値の中間値を表現することができる。これにより、表示パネル３０上において視認される見かけの階調を５１１段階とすることができる。
【００３１】
図７は、実施形態１に係る表示パネルの画素構成の一例を示す図である。
【００３２】
本実施形態において、表示パネル３０の表示領域には、複数個の図７に示す画素４０がＸ方向及びＹ方向に並び配列されている。
【００３３】
画素４０は、Ｒ（赤）副画素４０Ｒ（第１画素）、Ｇ（緑）副画素４０Ｇ（第２画素）、Ｂ（青）副画素４０Ｂ（第３画素）、及びＷ（白）副画素４０Ｗ（第４画素）を有している。各副画素４０Ｒ，４０Ｇ，４０Ｂ，４０Ｗの表示階調は２５６階調、すなわち８ビット深度の階調表現が可能である。
【００３４】
図８Ａは、Ｒ副画素、Ｇ副画素、Ｂ副画素、及びＷ副画素の図５及び図６のＡに示す表示パターンを示す図である。図８Ｂは、Ｒ副画素、Ｇ副画素、Ｂ副画素、及びＷ副画素の図５及び図６のＢに示す表示パターンを示す図である。図８Ｃは、Ｒ副画素、Ｇ副画素、Ｂ副画素、及びＷ副画素の図５及び図６のＣに示す表示パターンを示す図である。なお、図８Ａ乃至図８Ｃに示す例では、Ｒ副画素４０Ｒ、Ｇ副画素４０Ｇ、Ｂ副画素４０Ｂの表示輝度とＷ副画素４０Ｗの表示輝度との比を１：１としている。
【００３５】
図８Ａ乃至図８Ｃに示す例において、網掛けされている副画素の表示階調が「１２７」、白抜きされている副画素の表示階調が「１２８」である。
【００３６】
図８Ａに示す表示パターンＡにおいて、Ｒ副画素４０Ｒ、Ｇ副画素４０Ｇ、Ｂ副画素４０Ｂの表示階調「１２７」とＷ副画素４０Ｗの表示階調「１２７」とを加算すると「２５４」となる。このとき、８ビット深度（２５６階調）の階調表現が可能な画素４０における見かけ上の表示階調値は「１２７．０」となる。
【００３７】
また、図８Ｂに示す表示パターンＢにおいて、Ｒ副画素４０Ｒ、Ｇ副画素４０Ｇ、Ｂ副画素４０Ｂの表示階調「１２７」とＷ副画素４０Ｗの表示階調「１２８」とを加算すると「２５５」となる。このとき、８ビット深度（２５６階調）の階調表現が可能な画素４０における見かけ上の表示階調値は「１２７．５」となる。
【００３８】
また、図８Ｃに示す表示パターンＣにおいて、Ｒ副画素４０Ｒ、Ｇ副画素４０Ｇ、Ｂ副画素４０Ｂの表示階調「１２８」とＷ副画素４０Ｗの表示階調「１２８」とを加算すると「２５６」となる。このとき、８ビット深度（２５６階調）の階調表現が可能な画素４０における見かけ上の表示階調値は「１２８．０」となる。
【００３９】
上述したように、本実施形態において、階調処理部２０の第１ビット演算部２０１は、９ビット深度（５１２階調）のＲＧＢ信号の各階調データの０ｂｉｔ目を切り捨てて８ビット深度（２５６階調）とし、表示パネル３０に出力する。また、階調処理部２０の第２ビット演算部２０２は、９ビット深度（５１２階調）のＷ信号の階調データにデータ値「１」を加算した後、０ｂｉｔ目を切り捨てて８ビット深度（２５６階調）とし、表示パネル３０に出力する。これにより、表示階調数が２５６、すなわち８ビット深度（２５６階調）の階調表現が可能な表示パネル３０上において視認される見かけの階調を５１１段階とすることができる。
【００４０】
なお、階調処理部２０の第１ビット演算部２０１において、９ビット深度（５１２階調）のＲＧＢ信号の各階調データにデータ値「１」を加算した後、０ｂｉｔ目を切り捨てて８ビット深度（２５６階調）とし、階調処理部２０の第２ビット演算部２０２において、９ビット深度（５１２階調）のＷ信号の階調データの０ｂｉｔ目を切り捨てて８ビット深度（２５６階調）とする態様であっても良い。
【００４１】
（変形例）
図９は、実施形態１の変形例に係る信号処理部の構成の一例を示すブロック図である。図９に示す実施形態１の変形例では、表示装置１ａの信号処理部１００ａに入力される画像信号のＲ（赤）、Ｇ（緑）、Ｂ（青）の３原色の各階調データが１副画素当たり９ビット深度である例について説明する。
【００４２】
図９に示す実施形態１の変形例では、画像処理部１０ａにおける画像変換処理において、伸張処理等の内部演算処理によって生じる端数の影響を受けない。すなわち、図９に示す実施形態１の変形例において、画像信号の各階調データが同じ値であるとき、画像処理部１０ａから出力される９ビット深度のＲＧＢ信号（第１信号）の各階調データと９ビット深度のＷ信号（第２信号）の階調データとが同じ値となる。この場合、画像信号の各階調データを１ステップずつ増加させると、階調処理部２０から出力される階調処理後の９ビット深度のＲＧＢ信号（第１信号）の各階調データと９ビット深度のＷ信号（第２信号）の階調データとが交互に増加し、画像信号の各階調データを１ステップずつ減少させると、階調処理部２０から出力される階調処理後の９ビット深度のＲＧＢ信号（第１信号）の各階調データと９ビット深度のＷ信号（第２信号）の階調データとが交互に減少する。
【００４３】
なお、図９では、表示装置１ａの信号処理部１００ａに入力される画像信号のＲ（赤）、Ｇ（緑）、Ｂ（青）の３原色の各階調データが１副画素当たり９ビット深度である例を示したが、画像信号のＲ（赤）、Ｇ（緑）、Ｂ（青）の３原色の各階調データが１副画素当たり１０ビット深度あるいはそれ以上であっても同様である。
【００４４】
以上説明したように、実施形態１及び実施形態１の変形例に係る表示装置１，１ａは、Ｒ（赤）副画素４０Ｒ（第１画素）、Ｇ（緑）副画素４０Ｇ（第２画素）、Ｂ（青）副画素４０Ｂ（第３画素）の３原色の各副画素に加え、Ｗ（白）副画素４０Ｗ（第４画素）を含む複数の画素４０で構成される表示パネル３０と、Ｒ（赤）、Ｇ（緑）、Ｂ（青）の各階調データを含む画像信号を、Ｒ（赤）、Ｇ（緑）、Ｂ（青）の各階調データを含むＲＧＢ信号（第１信号）、及び、Ｗ（白）の階調データを含むＷ信号（第２信号）に変換して出力する信号処理部１００と、を備える。信号処理部１００は、画像信号の各階調データが同じ値であるとき、ＲＧＢ信号（第１信号）の各階調データとＷ信号（第２信号）の階調データとが、互いに同じ値となる場合と、互いに１だけずれた値となる場合とが混在する。信号処理部１００は、第１ビット深度（９ビット深度）のＲＧＢ信号（第１信号）及びＷ信号（第２信号）の階調データを、第１ビット深度よりも小さい第２ビット深度（８ビット深度）に変換する階調処理部２０を備える。
【００４５】
上記構成において、階調処理部２０は、第１ビット深度（９ビット深度）のＲＧＢ信号（第１信号）の各階調データの０ｂｉｔ目を切り捨てて第２ビット深度（８ビット深度）とし、第１ビット深度（９ビット深度）のＷ信号（第２信号）の階調データに１を加算した後、０ｂｉｔ目を切り捨てて第２ビット深度（８ビット深度）とする。
【００４６】
又は、階調処理部２０は、第１ビット深度（９ビット深度）のＲＧＢ信号（第１信号）の各階調データに１を加算した後、０ｂｉｔ目を切り捨てて第２ビット深度（８ビット深度）とし、第１ビット深度（９ビット深度）のＷ信号（第２信号）の階調データの０ｂｉｔ目を切り捨てて第２ビット深度（８ビット深度）とする。
【００４７】
これにより、第２ビット深度（８ビット深度、すなわち２５６階調）の階調表現が可能な表示パネル３０において、各階調値の中間値を表現することができ、表示パネル３０上において視認される見かけの階調を増加させることができる。換言すれば、表示パネル３０の表示階調よりも高い階調表現が可能となる。
【００４８】
本実施形態により、表示パネル３０の表示階調よりも高い階調表現が可能な表示装置１，１ａを得ることができる。
【００４９】
なお、上述した実施形態１では、Ｒ（赤）副画素（第１画素）、Ｇ（緑）副画素（第２画素）、Ｂ（青）副画素（第３画素）の表示輝度と、Ｗ（白）副画素（第４画素）の表示輝度との比が１：１である場合について説明したが、Ｒ（赤）副画素（第１画素）、Ｇ（緑）副画素（第２画素）、Ｂ（青）副画素（第３画素）の表示輝度と、Ｗ（白）副画素（第４画素）の表示輝度との比はこれに限るものではなく、例えば、Ｒ（赤）副画素（第１画素）、Ｇ（緑）副画素（第２画素）、Ｂ（青）副画素（第３画素）の表示輝度と、Ｗ（白）副画素（第４画素）の表示輝度との比が１：０．５等の不均等であっても良い。この場合でも、画像信号の各階調データを増加させることで表示輝度は増加し、画像信号の各階調データを減少させることで表示輝度は減少する。すなわち、画像信号の変化に対する表示輝度の逆転現象は生じない。
【００５０】
（実施形態２）
図１０は、実施形態２に係る信号処理部の構成の一例を示すブロック図である。本実施形態に係る表示装置１ｂは、１フレームの画像を複数のサブフレームに時分割して表示を行うフレームレートコントロール（ＦＲＣ：Ｆｒａｍｅ  Ｒａｔｅ  Ｃｏｎｔｒｏｌ）処理を行う構成である。図１０に示すように、実施形態２に係る表示装置１ｂは、階調処理部２０ｂの後段に、ＦＲＣ制御部５０を備える。
【００５１】
ＦＲＣ制御部５０におけるフレームレートコントロール処理については、公知の手法を用いることができる。ＦＲＣ制御部５０におけるフレームレートコントロール処理の手法により、本開示が限定されるものではないが、ＦＲＣ制御部５０は、例えば、１フレームの画像を４つのサブフレームに時分割して表示を行う場合、２ビット分の階調表現の拡張が可能である。すなわち、図１０に示すように、表示パネル３０ｂの表示階調が２５６階調、すなわち、表示パネル３０ｂにおいて表示可能な入力信号が８ビット深度である場合には、ＦＲＣ制御部５０によるフレームレートコントロール処理により１０ビット深度（２０４８階調）の階調表現が可能である。
【００５２】
画像処理部１０ｂは、入力されたＲ（赤）、Ｇ（緑）、Ｂ（青）の各色８ビット深度の各階調データを含む画像信号を、Ｒ（赤）、Ｇ（緑）、Ｂ（青）の各色１１ビット深度の各階調データを含むＲＧＢ信号（第１信号）、及び、Ｗ（白）の１１ビット深度の階調データを含むＷ信号（第２信号）に変換する。
【００５３】
具体的に、画像処理部１０ｂは、伸張処理等の内部演算処理によって端数が生じた分の３ビット分のデータを、Ｒ（赤）、Ｇ（緑）、Ｂ（青）、Ｗ（白）の各階調データに下位３ビットとして加える。これにより、画像処理部１０ｂは、ビット深度が増加した１１ビット深度のＲＧＢ信号（第１信号）及び１１ビット深度のＷ信号（第２信号）を出力する。
【００５４】
次に、実施形態２に係る表示装置１ｂの信号処理例について、図１１乃至図１４を参照して説明する。
【００５５】
図１１は、実施形態２に係る第１ビット演算部における階調処置の過程の一例を示す図である。図１２は、実施形態２に係る第２ビット演算部における階調処理の過程の一例を示す図である。図１３は、実施形態２の表示パネル上において視認される表示階調値を示す図である。図１４は、実施形態２に係る表示装置における各部階調と表示パネル上において視認される表示階調値との関係を模式的に示す図である。
【００５６】
図１１及び図１２に示すように、信号処理部１００ｂに入力された画像信号に含まれるＲ（赤）、Ｇ（緑）、Ｂ（青）の各階調データは、画像処理部１０ｂにおける伸張処理等の画像処理の過程でビット数が増加する。実施形態２においては、画像処理部１０ｂに入力された８ビット深度（２５６階調）のＲ（赤）、Ｇ（緑）、Ｂ（青）の各階調データが、１１ビット深度（２０４８階調）のＲ（赤）、Ｇ（緑）、Ｂ（青）の各階調データを含むＲＧＢ信号、及び、１１ビット深度（２０４８階調）のＷ（白）の階調データを含むＷ信号に変換される場合を想定する。１１ビット深度（２０４８階調）の各階調データに変換されたＲＧＢ信号は、階調処理部２０ｂの第１ビット演算部２０１ｂに入力される。１１ビット深度（２０４８階調）の階調データに変換されたＷ信号は、階調処理部２０ｂの第２ビット演算部２０２ｂに入力される。ここで、１１ビット深度の各階調データの最下位ビットを「０ｂｉｔ目」とし、最上位ビットを「１０ｂｉｔ目」とする。このとき、図１１及び図１２に示すように、画像処理部１０ｂにおける画像処理後のＲＧＢ信号の各階調データ及びＷ信号の階調データの２ｂｉｔ目、１ｂｉｔ目、０ｂｉｔ目の値は、「０００」、「００１」、「０１０」、「０１１」、「１００」、「１０１」、「１１０」、「１１１」を取り得る。
【００５７】
階調処理部２０ｂの第１ビット演算部２０１ｂは、１１ビット深度（２０４８階調）のＲＧＢ信号の各階調データを１０ビット深度（１０２４階調）に変換する。具体的に、第１ビット演算部２０１ｂは、図１１に示すように、１１ビット深度（２０４８階調）のＲ（赤）、Ｇ（緑）、Ｂ（青）の各階調データの０ｂｉｔ目（最下位ビット）を切り捨てて１０ビット深度（１０２４階調）とし、表示パネル３０ｂに出力する。
【００５８】
階調処理部２０ｂの第２ビット演算部２０２ｂは、１１ビット深度（２０４８階調）のＷ信号の階調データを１０ビット深度（１０２４階調）に変換する。具体的に、第２ビット演算部２０２ｂは、図１２に示すように、１１ビット深度（２０４８階調）のＷ（白）の階調データにデータ値「１」を加算した後、０ｂｉｔ目（最下位ビット）を切り捨てて１０ビット深度（１０２４階調）とし、表示パネル３０ｂに出力する。なお、画像処理部１０ｂにおける画像処理後の１１ビット深度（２０４８階調）のＷ信号の階調データ「１１１１１１１１１１１」に対しては、階調処理部２０ｂの第２ビット演算部２０２ｂの階調処理において、データ値「１」の加算を行わない。これにより、ビットオーバーフローを防ぐことができる。
【００５９】
ここで、階調処理前のＲＧＢ信号（第１信号）の各階調データとＷ信号（第２信号）の階調データとが同じ値であるとき、階調処理後のＲＧＢ信号（第１信号）の各階調データとＷ信号（第２信号）の階調データとが、互いに同じ値となる場合と、互いに１だけずれた値となる場合とが混在する。この階調処理後のＲＧＢ信号（第１信号）の各階調データとＷ信号（第２信号）の階調データとが、互いに１だけずれた値となる場合に、８ビット深度（２５６階調）の階調表現が可能な表示パネル３０ｂを、上述したＦＲＣ制御部５０におけるフレームレートコントロール処理により１０ビット深度（１０２４階調）の階調表現を可能とした構成において、各階調値の中間値を表現することができる。本実施形態では、１０ビット深度（１０２４階調）の中間値を表現することができるので、８ビット深度（２５６階調）の階調表現が可能な表示パネル３０ｂ上において視認される見かけの階調を２０４７段階とすることができる。
【００６０】
図１３及び図１４に示すように、階調処理後のＲ（赤）、Ｇ（緑）、Ｂ（青）の各階調データの階調値が「５０８」、階調処理後のＷ（白）の階調データの階調値が「５０８」であるとき、階調処理後のＲ（赤）、Ｇ（緑）、Ｂ（青）の各階調データの階調値「５０８」とＷ（白）の階調データの階調値「５０８」とを加算すると「１０１６」となる。このとき、８ビット深度（２５６階調）の階調表現が可能な表示パネル３０ｂにおいて、上述したＦＲＣ制御部５０におけるフレームレートコントロール処理後の信号により表示される画像の見かけ上の表示階調値は「１２７．０００」となる（図１３及び図１４のＡ参照）。
【００６１】
また、図１３及び図１４に示すように、階調処理後のＲ（赤）、Ｇ（緑）、Ｂ（青）の各階調データの階調値が「５０８」、階調処理後のＷ（白）の階調データの階調値が「５０９」であるとき、階調処理後のＲ（赤）、Ｇ（緑）、Ｂ（青）の各階調データの階調値「５０８」とＷ（白）の階調データの階調値「５０９」とを加算すると「１０１７」となる。このとき、８ビット深度（２５６階調）の階調表現が可能な表示パネル３０ｂにおいて、上述したＦＲＣ制御部５０におけるフレームレートコントロール処理後の信号により表示される画像の見かけ上の表示階調値は「１２７．１２５」となる（図１３及び図１４のＢ参照）。
【００６２】
また、図１３及び図１４に示すように、階調処理後のＲ（赤）、Ｇ（緑）、Ｂ（青）の各階調データの階調値が「５０９」、階調処理後のＷ（白）の階調データの階調値が「５０９」であるとき、階調処理後のＲ（赤）、Ｇ（緑）、Ｂ（青）の各階調データの階調値「５０９」とＷ（白）の階調データの階調値「５０９」とを加算すると「１０１８」となる。このとき、８ビット深度（２５６階調）の階調表現が可能な表示パネル３０ｂにおいて、上述したＦＲＣ制御部５０におけるフレームレートコントロール処理後の信号により表示される画像の見かけ上の表示階調値は「１２７．２５０」となる（図１３及び図１４のＣ参照）。
【００６３】
また、図１３及び図１４に示すように、階調処理後のＲ（赤）、Ｇ（緑）、Ｂ（青）の各階調データの階調値が「５０９」、階調処理後のＷ（白）の階調データの階調値が「５１０」であるとき、階調処理後のＲ（赤）、Ｇ（緑）、Ｂ（青）の各階調データの階調値「５０９」とＷ（白）の階調データの階調値「５１０」とを加算すると「１０１９」となる。このとき、８ビット深度（２５６階調）の階調表現が可能な表示パネル３０ｂにおいて、上述したＦＲＣ制御部５０におけるフレームレートコントロール処理後の信号により表示される画像の見かけ上の表示階調値は「１２７．３７５」となる（図１３及び図１４のＤ参照）。
【００６４】
また、図１３及び図１４に示すように、階調処理後のＲ（赤）、Ｇ（緑）、Ｂ（青）の各階調データの階調値が「５１０」、階調処理後のＷ（白）の階調データの階調値が「５１０」であるとき、階調処理後のＲ（赤）、Ｇ（緑）、Ｂ（青）の各階調データの階調値「５１０」とＷ（白）の階調データの階調値「５１０」とを加算すると「１０２０」となる。このとき、８ビット深度（２５６階調）の階調表現が可能な表示パネル３０ｂにおいて、上述したＦＲＣ制御部５０におけるフレームレートコントロール処理後の信号により表示される画像の見かけ上の表示階調値は「１２７．５００」となる（図１３及び図１４のＥ参照）。
【００６５】
また、図１３及び図１４に示すように、階調処理後のＲ（赤）、Ｇ（緑）、Ｂ（青）の各階調データの階調値が「５１０」、階調処理後のＷ（白）の階調データの階調値が「５１１」であるとき、階調処理後のＲ（赤）、Ｇ（緑）、Ｂ（青）の各階調データの階調値「５１０」とＷ（白）の階調データの階調値「５１１」とを加算すると「１０２１」となる。このとき、８ビット深度（２５６階調）の階調表現が可能な表示パネル３０ｂにおいて、上述したＦＲＣ制御部５０におけるフレームレートコントロール処理後の信号により表示される画像の見かけ上の表示階調値は「１２７．６２５」となる（図１３及び図１４のＦ参照）。
【００６６】
また、図１３及び図１４に示すように、階調処理後のＲ（赤）、Ｇ（緑）、Ｂ（青）の各階調データの階調値が「５１１」、階調処理後のＷ（白）の階調データの階調値が「５１１」であるとき、階調処理後のＲ（赤）、Ｇ（緑）、Ｂ（青）の各階調データの階調値「５１１」とＷ（白）の階調データの階調値「５１１」とを加算すると「１０２２」となる。このとき、８ビット深度（２５６階調）の階調表現が可能な表示パネル３０ｂにおいて、上述したＦＲＣ制御部５０におけるフレームレートコントロール処理後の信号により表示される画像の見かけ上の表示階調値は「１２７．７５０」となる（図１３及び図１４のＧ参照）。
【００６７】
また、図１３及び図１４に示すように、階調処理後のＲ（赤）、Ｇ（緑）、Ｂ（青）の各階調データの階調値が「５１１」、階調処理後のＷ（白）の階調データの階調値が「５１２」であるとき、階調処理後のＲ（赤）、Ｇ（緑）、Ｂ（青）の各階調データの階調値「５１１」とＷ（白）の階調データの階調値「５１２」とを加算すると「１０２３」となる。このとき、８ビット深度（２５６階調）の階調表現が可能な表示パネル３０ｂにおいて、上述したＦＲＣ制御部５０におけるフレームレートコントロール処理後の信号により表示される画像の見かけ上の表示階調値は「１２７．８７５」となる（図１３及び図１４のＨ参照）。
【００６８】
このように、本実施形態では、８ビット深度（２５６階調）の階調表現が可能な表示パネル３０ｂにおいて、上述したＦＲＣ制御部５０におけるフレームレートコントロール処理後の信号により１０ビット深度（１０２４階調）の各階調値の中間値を表現することができる。これにより、８ビット深度（２５６階調）の階調表現が可能な表示パネル３０ａ上において視認される見かけの階調を２０４７段階とすることができる。
【００６９】
図１５は、実施形態２に係る表示パネルの画素構成の一例を示す図である。
【００７０】
本実施形態において、表示パネル３０ｂは、複数のＲ（赤）副画素４０Ｒ（第１画素）、Ｇ（緑）副画素４０Ｇ（第２画素）、Ｂ（青）副画素４０Ｂ（第３画素）、及びＷ（白）副画素４０Ｗ（第４画素）をそれぞれ複数有する画素群４１を１つのグループとして表示を行う。各副画素４０Ｒ，４０Ｇ，４０Ｂ，４０Ｗの表示階調は２５６階調、すなわち、８ビット深度の階調表現が可能である。図１５に示す例では、８組のＲ副画素４０Ｒ、Ｇ副画素４０Ｇ、Ｂ副画素４０Ｂと８個のＷ副画素４０Ｗとを組み合わせて１つの画素群４１とし、１０２４階調、すなわち、１０ビット深度の階調表現を可能とした構成を示している。
【００７１】
図１６Ａは、Ｒ副画素、Ｇ副画素、Ｂ副画素、及びＷ副画素の図１３及び図１４のＡに示す表示パターンの一例を示す図である。図１６Ｂは、Ｒ副画素、Ｇ副画素、Ｂ副画素、及びＷ副画素の図１３及び図１４のＢに示す表示パターンの一例を示す図である。図１６Ｃは、Ｒ副画素、Ｇ副画素、Ｂ副画素、及びＷ副画素の図１３及び図１４のＣに示す表示パターンの一例を示す図である。図１６Ｄは、Ｒ副画素、Ｇ副画素、Ｂ副画素、及びＷ副画素の図１３及び図１４のＤに示す表示パターンの一例を示す図である。図１６Ｅは、Ｒ副画素、Ｇ副画素、Ｂ副画素、及びＷ副画素の図１３及び図１４のＥに示す表示パターンの一例を示す図である。図１６Ｆは、Ｒ副画素、Ｇ副画素、Ｂ副画素、及びＷ副画素の図１３及び図１４のＦに示す表示パターンの一例を示す図である。図１６Ｇは、Ｒ副画素、Ｇ副画素、Ｂ副画素、及びＷ副画素の図１３及び図１４のＧに示す表示パターンの一例を示す図である。図１６Ｈは、Ｒ副画素、Ｇ副画素、Ｂ副画素、及びＷ副画素の図１３及び図１４のＨに示す表示パターンの一例を示す図である。なお、図１６Ａ乃至図１６Ｈに示す例では、１組のＲ副画素４０Ｒ、Ｇ副画素４０Ｇ、Ｂ副画素４０Ｂと１つのＷ副画素４０Ｗとで画素４０を構成し、１組のＲ副画素４０Ｒ、Ｇ副画素４０Ｇ、Ｂ副画素４０Ｂの表示輝度と１つのＷ副画素４０Ｗの表示輝度との比を１：１としている。また、図１６Ａ乃至図１６Ｈに示す各表示パターンは一例であって、図１６Ａ乃至図１６Ｈに示す例に限るものではない。
【００７２】
本実施形態では、図１６Ａ乃至図１６Ｈに示すように、１フレームの画像を４つのサブフレームに時分割して表示を行う。具体的に、ＦＲＣ制御部５０は、図１５に示す画素群４１に対し、図１６Ａ乃至図１６Ｈに示すサブフレーム１、サブフレーム２、サブフレーム３、サブフレーム４の順に表示する。これにより、表示パネル３０ｂの表示階調が２５６階調である場合には、ＦＲＣ制御部５０によるフレームレートコントロール処理により１０ビット深度（１０２４階調）の階調表現が可能である。
【００７３】
図１６Ａ乃至図１６Ｈに示す例において、網掛けされている副画素の表示階調が「１２７」、白抜きされている副画素の表示階調が「１２８」である。
【００７４】
図１６Ａに示す表示パターンＡにおいて、８組のＲ副画素４０Ｒ、Ｇ副画素４０Ｇ、Ｂ副画素４０Ｂの表示階調「１２７×８」と８個のＷ副画素４０Ｗの表示階調「１２７×８」とを加算すると「２０３２」となり、画素群４１を構成する１つの画素４０当たりの表示階調は「２０３２／８＝２５４．０００」となる。このとき、８ビット深度（２５６階調）の階調表現が可能な画素４０における見かけ上の表示階調値は「１２７．０００」となる。
【００７５】
また、図１６Ｂに示す表示パターンＢにおいて、８組のＲ副画素４０Ｒ、Ｇ副画素４０Ｇ、Ｂ副画素４０Ｂの表示階調「１２７×８」と６個のＷ副画素４０Ｗの表示階調「１２７×６」と２個のＷ副画素４０Ｗの表示階調「１２８×２」を加算すると「２０３４」となり、画素群４１を構成する１つの画素４０当たりの表示階調は「２０３４／８＝２５４．２５０」となる。このとき、８ビット深度（２５６階調）の階調表現が可能な画素４０における見かけ上の表示階調値は「１２７．１２５」となる。
【００７６】
また、図１６Ｃに示す表示パターンＣにおいて、６組のＲ副画素４０Ｒ、Ｇ副画素４０Ｇ、Ｂ副画素４０Ｂの表示階調「１２７×６」と２組のＲ副画素４０Ｒ、Ｇ副画素４０Ｇ、Ｂ副画素４０Ｂの表示階調「１２８×２」と６個のＷ副画素４０Ｗの表示階調「１２７×６」と２個のＷ副画素４０Ｗの表示階調「１２８×２」を加算すると「２０３６」となり、画素群４１を構成する１つの画素４０当たりの表示階調は「２０３６／８＝２５４．５００」となる。このとき、８ビット深度（２５６階調）の階調表現が可能な画素４０における見かけ上の表示階調値は「１２７．２５０」となる。
【００７７】
また、図１４Ｄに示す表示パターンＤにおいて、６組のＲ副画素４０Ｒ、Ｇ副画素４０Ｇ、Ｂ副画素４０Ｂの表示階調「１２７×６」と２組のＲ副画素４０Ｒ、Ｇ副画素４０Ｇ、Ｂ副画素４０Ｂの表示階調「１２８×２」と４個のＷ副画素４０Ｗの表示階調「１２７×４」と４個のＷ副画素４０Ｗの表示階調「１２８×４」を加算すると「２０３８」となり、画素群４１を構成する１つの画素４０当たりの表示階調は「２０３８／８＝２５４．７５０」となる。このとき、８ビット深度（２５６階調）の階調表現が可能な画素４０における見かけ上の表示階調値は「１２７．３７５」となる。
【００７８】
また、図１４Ｅに示す表示パターンＥにおいて、４組のＲ副画素４０Ｒ、Ｇ副画素４０Ｇ、Ｂ副画素４０Ｂの表示階調「１２７×４」と４組のＲ副画素４０Ｒ、Ｇ副画素４０Ｇ、Ｂ副画素４０Ｂの表示階調「１２８×４」と４個のＷ副画素４０Ｗの表示階調「１２７×４」と４個のＷ副画素４０Ｗの表示階調「１２８×４」を加算すると「２０４０」となり、画素群４１を構成する１つの画素４０当たりの表示階調は「２０４０／８＝２５５．０００」となる。このとき、８ビット深度（２５６階調）の階調表現が可能な画素４０における見かけ上の表示階調値は「１２７．５００」となる。
【００７９】
また、図１４Ｆに示す表示パターンＦにおいて、４組のＲ副画素４０Ｒ、Ｇ副画素４０Ｇ、Ｂ副画素４０Ｂの表示階調「１２７×４」と４組のＲ副画素４０Ｒ、Ｇ副画素４０Ｇ、Ｂ副画素４０Ｂの表示階調「１２８×４」と２個のＷ副画素４０Ｗの表示階調「１２７×２」と６個のＷ副画素４０Ｗの表示階調「１２８×６」を加算すると「２０４２」となり、画素群４１を構成する１つの画素４０当たりの表示階調は「２０４２／８＝２５５．２５０」となる。このとき、８ビット深度（２５６階調）の階調表現が可能な画素４０における見かけ上の表示階調値は「１２７．６７５」となる。
【００８０】
また、図１４Ｇに示す表示パターンＧにおいて、２組のＲ副画素４０Ｒ、Ｇ副画素４０Ｇ、Ｂ副画素４０Ｂの表示階調「１２７×２」と６組のＲ副画素４０Ｒ、Ｇ副画素４０Ｇ、Ｂ副画素４０Ｂの表示階調「１２８×６」と２個のＷ副画素４０Ｗの表示階調「１２７×２」と６個のＷ副画素４０Ｗの表示階調「１２８×６」を加算すると「２０４４」となり、画素群４１を構成する１つの画素４０当たりの表示階調は「２０４４／８＝２５５．５００」となる。このとき、８ビット深度（２５６階調）の階調表現が可能な画素４０における見かけ上の表示階調値は「１２７．７５０」となる。
【００８１】
また、図１４Ｈに示す表示パターンＨにおいて、２組のＲ副画素４０Ｒ、Ｇ副画素４０Ｇ、Ｂ副画素４０Ｂの表示階調「１２７×２」と６組のＲ副画素４０Ｒ、Ｇ副画素４０Ｇ、Ｂ副画素４０Ｂの表示階調「１２８×６」と８個のＷ副画素４０Ｗの表示階調「１２８×８」を加算すると「２０４６」となり、画素群４１を構成する１つの画素４０当たりの表示階調は「２０４６／８＝２５５．７５０」となる。このとき、８ビット深度（２５６階調）の階調表現が可能な画素４０における見かけ上の表示階調値は「１２７．８７５」となる。
【００８２】
上述したように、本実施形態において、階調処理部２０ｂの第１ビット演算部２０１ｂは、１１ビット深度（２０４８階調）のＲＧＢ信号の各階調データの０ｂｉｔ目を切り捨てて１０ビット深度（１０２４階調）とし、階調処理部２０ｂの第２ビット演算部２０２ｂは、１１ビット深度（２０４８階調）のＷ信号の階調データにデータ値「１」を加算した後、０ｂｉｔ目を切り捨てて１０ビット深度（１０２４階調）とする。ＦＲＣ制御部５０は、１０ビット深度（１０２４階調）のＲＧＢ信号及びＷ信号に対してフレームレートコントロール処理を行い、表示パネル３０ｂに出力する。これにより、表示階調数が２５６、すなわち８ビット深度（２５６階調）の階調表現が可能な表示パネル３０ｂ上において視認される見かけの階調を２０４７段階とすることができる。
【００８３】
なお、階調処理部２０ｂの第１ビット演算部２０１ｂにおいて、１１ビット深度（２０４８階調）のＲＧＢ信号の各階調データにデータ値「１」を加算した後、０ｂｉｔ目を切り捨てて１０ビット深度（１０２４階調）とし、階調処理部２０ｂの第２ビット演算部２０２ｂにおいて、１１ビット深度（２０４８階調）のＷ信号の階調データの０ｂｉｔ目を切り捨てて１０ビット深度（１０２４階調）とする態様であっても良い。
【００８４】
以上説明したように、実施形態２に係る表示装置１ｂは、１フレームの画像を複数のサブフレームに時分割して表示パネル３０ｂに供給するＦＲＣ制御部５０をさらに備える。ＦＲＣ制御部５０は、ＲＧＢ信号（第１信号）の各階調データ及びＷ信号（第２信号）の階調データに応じた複数の表示パターンで表示パネル３０ｂに表示する。
【００８５】
これにより、第２ビット深度（８ビット深度、すなわち２５６階調）の階調表現が可能な表示パネル３０ｂにおいて、ＦＲＣ制御部５０におけるフレームレートコントロール処理後の信号により１０ビット深度（１０２４階調）の各階調値の中間値を表現することができ、表示パネル３０ｂ上において視認される見かけの階調を実施形態１よりも増加させることができる。
【００８６】
本実施形態により、表示パネル３０ｂの表示階調よりも高い階調表現が可能な表示装置１ｂを得ることができる。
【００８７】
（実施形態３）
図１７は、実施形態３に係る信号処理部の構成の一例を示すブロック図である。図１７に示すように、実施形態３に係る表示装置１ｃにおいて、表示パネル３０ｃは、画素内に２値（論理値「１」又は論理値「０」）のデータを記憶可能なメモリを有する、所謂ＭＩＰ（Ｍｅｍｏｒｙ  Ｉｎ  Ｐｉｘｅｌ）方式を採用したＭＩＰパネルである。また、表示パネル３０ｃにおける画素を構成する、Ｒ（赤）副画素（第１画素）、Ｇ（緑）副画素（第２画素）、Ｂ（青）副画素（第３画素）、及びＷ（白）副画素（第４画素）は、それぞれ同一の面積比を有する複数のセグメントで構成され、各セグメントのオン状態及びオフ状態の組み合わせにより、各副画素における複数階調の表示を実現する、所謂面積階調方式の構成である。本実施形態では、表示パネル３０ｃの表示階調が８階調、すなわち、３ビット深度の階調表現が可能である例について説明するが、表示パネル３０ｃの表示階調は８階調に限るものではない。
【００８８】
表示パネル３０ｃにおける面積階調方式については、公知の手法を用いることができる。表示パネル３０ｃにおける面積階調方式により、本開示が限定されるものではないが、本実施形態において、表示パネル３０ｃは、例えば、Ｒ副画素、Ｇ副画素、Ｂ副画素、及びＷ副画素がそれぞれ１：２：４の面積比を有する３つのセグメントで構成され、画素の表示階調数が８、すなわちビット深度が３ビットである例について説明する。なお、各副画素の表示階調のビット深度は８ビットに限るものではない。
【００８９】
画像処理部１０ｃは、入力されたＲ（赤）、Ｇ（緑）、Ｂ（青）の各色８ビット深度の各階調データを含む画像信号を、Ｒ（赤）、Ｇ（緑）、Ｂ（青）の各色４ビット深度の各階調データを含むＲＧＢ信号（第１信号）、及び、Ｗ（白）の４ビット深度の階調データを含むＷ信号（第２信号）に変換する。
【００９０】
具体的に、画像処理部１０ｃは、伸張処理等の内部演算処理によってビット深度が増加したＲＧＢ信号（第１信号）の各階調データ及びＷ信号（第２信号）の階調データの下位ビットを切り捨てた上位４ビット深度の階調データを出力する。
【００９１】
次に、実施形態３に係る表示装置１ｃの信号処理例について、図１８乃至図２１を参照して説明する。
【００９２】
図１８は、実施形態３に係る第１ビット演算部における階調処理の過程の一例を示す図である。図１９は、実施形態３に係る第２ビット演算部における階調処理の過程の一例を示す図である。図２０は、実施形態３の表示パネル上において視認される表示階調値を示す図である。図２１は、実施形態３に係る表示装置における各部階調と表示パネル上において視認される表示階調値との関係を模式的に示す図である。
【００９３】
図１８及び図１９に示すように、信号処理部１００ｃに入力された画像信号に含まれるＲ（赤）、Ｇ（緑）、Ｂ（青）の８ビット深度（２５６階調）の各階調データは、画像処理部１０ｃにおいてＲ（赤）、Ｇ（緑）、Ｂ（青）の４ビット深度（１６階調）の各階調データを含むＲＧＢ信号、及び、Ｗ（白）の４ビット深度（１６階調）の階調データを含むＷ信号に変換される。４ビット深度（１６階調）の各階調データに変換されたＲＧＢ信号は、階調処理部２０ｃの第１ビット演算部２０１ｃに入力される。４ビット深度（１６階調）の階調データに変換されたＷ信号は、階調処理部２０ｃの第２ビット演算部２０２ｃに入力される。図１８及び図１９では、８ビット深度（２５６階調）のＲＧＢ信号の各階調データの３ｂｉｔ目以下を切り捨てて４ビット深度（１６階調）とし、８ビット深度（２５６階調）のＷ信号の階調データの３ｂｉｔ目以下を切り捨てて４ビット深度（１６階調）とした例を示している。
【００９４】
階調処理部２０ｃの第１ビット演算部２０１ｃは、４ビット深度（１６階調）のＲＧＢ信号の各階調データを３ビット深度（８階調）に変換する。具体的に、第１ビット演算部２０１ｃは、図１８に示すように、４ビット深度（１６階調）のＲ（赤）、Ｇ（緑）、Ｂ（青）の各階調データの０ｂｉｔ目（最下位ビット）を切り捨てて３ビット深度（８階調）とし、表示パネル３０ｃに出力する。
【００９５】
階調処理部２０ｃの第２ビット演算部２０２ｃは、４ビット深度（１６階調）のＷ信号の階調データを３ビット深度（８階調）に変換する。具体的に、第２ビット演算部２０２ｃは、図１９に示すように、４ビット深度（１６階調）のＷ（白）の階調データにデータ値「１」を加算した後、０ｂｉｔ目（最下位ビット）を切り捨てて３ビット深度（８階調）とし、表示パネル３０ｃに出力する。なお、画像処理部１０ｃから出力される４ビット深度（１６階調）のＷ信号の階調データ「１１１１」に対しては、階調処理部２０ｃの第２ビット演算部２０２ｃの階調処理において、データ値「１」の加算を行わない。これにより、ビットオーバーフローを防ぐことができる。
【００９６】
ここで、階調処理前のＲＧＢ信号（第１信号）の各階調データとＷ信号（第２信号）の階調データとが同じ値であるとき、階調処理後のＲＧＢ信号（第１信号）の各階調データとＷ信号（第２信号）の階調データとが、互いに同じ値となる場合と、互いに１だけずれた値となる場合とが混在する。この階調処理後のＲＧＢ信号（第１信号）の各階調データとＷ信号（第２信号）の階調データとが、互いに１だけずれた値となる場合に、３ビット深度、すなわち、８階調の階調表現が可能な表示パネル３０ｃにおいて、各階調値の中間値を表現することができる。具体的には、３ビット深度（８階調）の中間値を表現することができるので、３ビット深度（８階調）の階調表現が可能な表示パネル３０ｃ上において視認される見かけの階調を１５段階とすることができる。
【００９７】
図２０及び図２１に示すように、階調処理後のＲ（赤）、Ｇ（緑）、Ｂ（青）の各階調データの階調値が「０」、階調処理後のＷ（白）の階調データの階調値が「０」であるとき、階調処理後のＲ（赤）、Ｇ（緑）、Ｂ（青）の各階調データの階調値「０」とＷ（白）の階調データの階調値「０」とを加算すると「０」となる。このとき、３ビット深度（８階調）の階調表現が可能な表示パネル３０ｃにおいて表示される画像の見かけ上の表示階調値は「０．０」となる（図２０及び図２１のＡ参照）。
【００９８】
また、図２０及び図２１に示すように、階調処理後のＲ（赤）、Ｇ（緑）、Ｂ（青）の各階調データの階調値が「０」、階調処理後のＷ（白）の階調データの階調値が「１」であるとき、階調処理後のＲ（赤）、Ｇ（緑）、Ｂ（青）の各階調データの階調値「０」とＷ（白）の階調データの階調値「１」とを加算すると「１」となる。このとき、３ビット深度（８階調）の階調表現が可能な表示パネル３０ｃにおいて表示される画像の見かけ上の表示階調値は「０．５」となる（図２０及び図２１のＢ参照）。
【００９９】
また、図２０及び図２１に示すように、階調処理後のＲ（赤）、Ｇ（緑）、Ｂ（青）の各階調データの階調値が「１」、階調処理後のＷ（白）の階調データの階調値が「１」であるとき、階調処理後のＲ（赤）、Ｇ（緑）、Ｂ（青）の各階調データの階調値「１」とＷ（白）の階調データの階調値「１」とを加算すると「２」となる。このとき、３ビット深度（８階調）の階調表現が可能な表示パネル３０ｃにおいて表示される画像の見かけ上の表示階調値は「１．０」となる（図２０及び図２１のＣ参照）。
【０１００】
また、図２０及び図２１に示すように、階調処理後のＲ（赤）、Ｇ（緑）、Ｂ（青）の各階調データの階調値が「１」、階調処理後のＷ（白）の階調データの階調値が「２」であるとき、階調処理後のＲ（赤）、Ｇ（緑）、Ｂ（青）の各階調データの階調値「１」とＷ（白）の階調データの階調値「２」とを加算すると「３」となる。このとき、３ビット深度（８階調）の階調表現が可能な表示パネル３０ｃにおいて表示される画像の見かけ上の表示階調値は「１．５」となる（図２０及び図２１のＤ参照）。
【０１０１】
また、図２０及び図２１に示すように、階調処理後のＲ（赤）、Ｇ（緑）、Ｂ（青）の各階調データの階調値が「２」、階調処理後のＷ（白）の階調データの階調値が「２」であるとき、階調処理後のＲ（赤）、Ｇ（緑）、Ｂ（青）の各階調データの階調値「２」とＷ（白）の階調データの階調値「２」とを加算すると「４」となる。このとき、３ビット深度（８階調）の階調表現が可能な表示パネル３０ｃにおいて表示される画像の見かけ上の表示階調値は「２．０」となる（図２０及び図２１のＥ参照）。
【０１０２】
また、図２０及び図２１に示すように、階調処理後のＲ（赤）、Ｇ（緑）、Ｂ（青）の各階調データの階調値が「２」、階調処理後のＷ（白）の階調データの階調値が「３」であるとき、階調処理後のＲ（赤）、Ｇ（緑）、Ｂ（青）の各階調データの階調値「２」とＷ（白）の階調データの階調値「３」とを加算すると「５」となる。このとき、３ビット深度（８階調）の階調表現が可能な表示パネル３０ｃにおいて表示される画像の見かけ上の表示階調値は「２．５」となる（図２０及び図２１のＦ参照）。
【０１０３】
また、図２０及び図２１に示すように、階調処理後のＲ（赤）、Ｇ（緑）、Ｂ（青）の各階調データの階調値が「３」、階調処理後のＷ（白）の階調データの階調値が「３」であるとき、階調処理後のＲ（赤）、Ｇ（緑）、Ｂ（青）の各階調データの階調値「３」とＷ（白）の階調データの階調値「３」とを加算すると「６」となる。このとき、３ビット深度（８階調）の階調表現が可能な表示パネル３０ｃにおいて表示される画像の見かけ上の表示階調値は「３．０」となる（図２０及び図２１のＧ参照）。
【０１０４】
また、図２０及び図２１に示すように、階調処理後のＲ（赤）、Ｇ（緑）、Ｂ（青）の各階調データの階調値が「３」、階調処理後のＷ（白）の階調データの階調値が「４」であるとき、階調処理後のＲ（赤）、Ｇ（緑）、Ｂ（青）の各階調データの階調値「３」とＷ（白）の階調データの階調値「４」とを加算すると「７」となる。このとき、３ビット深度（８階調）の階調表現が可能な表示パネル３０ｃにおいて表示される画像の見かけ上の表示階調値は「３．５」となる（図２０及び図２１のＨ参照）。
【０１０５】
また、図２０及び図２１に示すように、階調処理後のＲ（赤）、Ｇ（緑）、Ｂ（青）の各階調データの階調値が「４」、階調処理後のＷ（白）の階調データの階調値が「４」であるとき、階調処理後のＲ（赤）、Ｇ（緑）、Ｂ（青）の各階調データの階調値「４」とＷ（白）の階調データの階調値「４」とを加算すると「８」となる。このとき、３ビット深度（８階調）の階調表現が可能な表示パネル３０ｃにおいて表示される画像の見かけ上の表示階調値は「４．０」となる（図２０及び図２１のＩ参照）。
【０１０６】
また、図２０及び図２１に示すように、階調処理後のＲ（赤）、Ｇ（緑）、Ｂ（青）の各階調データの階調値が「４」、階調処理後のＷ（白）の階調データの階調値が「５」であるとき、階調処理後のＲ（赤）、Ｇ（緑）、Ｂ（青）の各階調データの階調値「４」とＷ（白）の階調データの階調値「５」とを加算すると「９」となる。このとき、３ビット深度（８階調）の階調表現が可能な表示パネル３０ｃにおいて表示される画像の見かけ上の表示階調値は「４．５」となる（図２０及び図２１のＪ参照）。
【０１０７】
また、図２０及び図２１に示すように、階調処理後のＲ（赤）、Ｇ（緑）、Ｂ（青）の各階調データの階調値が「５」、階調処理後のＷ（白）の階調データの階調値が「５」であるとき、階調処理後のＲ（赤）、Ｇ（緑）、Ｂ（青）の各階調データの階調値「５」とＷ（白）の階調データの階調値「５」とを加算すると「１０」となる。このとき、３ビット深度（８階調）の階調表現が可能な表示パネル３０ｃにおいて表示される画像の見かけ上の表示階調値は「５．０」となる（図２０及び図２１のＫ参照）。
【０１０８】
また、図２０及び図２１に示すように、階調処理後のＲ（赤）、Ｇ（緑）、Ｂ（青）の各階調データの階調値が「５」、階調処理後のＷ（白）の階調データの階調値が「６」であるとき、階調処理後のＲ（赤）、Ｇ（緑）、Ｂ（青）の各階調データの階調値「５」とＷ（白）の階調データの階調値「６」とを加算すると「１１」となる。このとき、３ビット深度（８階調）の階調表現が可能な表示パネル３０ｃにおいて表示される画像の見かけ上の表示階調値は「５．５」となる（図２０及び図２１のＬ参照）。
【０１０９】
また、図２０及び図２１に示すように、階調処理後のＲ（赤）、Ｇ（緑）、Ｂ（青）の各階調データの階調値が「６」、階調処理後のＷ（白）の階調データの階調値が「６」であるとき、階調処理後のＲ（赤）、Ｇ（緑）、Ｂ（青）の各階調データの階調値「６」とＷ（白）の階調データの階調値「６」とを加算すると「１２」となる。このとき、３ビット深度（８階調）の階調表現が可能な表示パネル３０ｃにおいて表示される画像の見かけ上の表示階調値は「６．０」となる（図２０及び図２１のＭ参照）。
【０１１０】
また、図２０及び図２１に示すように、階調処理後のＲ（赤）、Ｇ（緑）、Ｂ（青）の各階調データの階調値が「６」、階調処理後のＷ（白）の階調データの階調値が「７」であるとき、階調処理後のＲ（赤）、Ｇ（緑）、Ｂ（青）の各階調データの階調値「６」とＷ（白）の階調データの階調値「７」とを加算すると「１３」となる。このとき、３ビット深度（８階調）の階調表現が可能な表示パネル３０ｃにおいて表示される画像の見かけ上の表示階調値は「６．５」となる（図２０及び図２１のＮ参照）。
【０１１１】
また、図２０及び図２１に示すように、階調処理後のＲ（赤）、Ｇ（緑）、Ｂ（青）の各階調データの階調値が「７」、階調処理後のＷ（白）の階調データの階調値が「７」であるとき、階調処理後のＲ（赤）、Ｇ（緑）、Ｂ（青）の各階調データの階調値「７」とＷ（白）の階調データの階調値「７」とを加算すると「１４」となる。このとき、３ビット深度（８階調）の階調表現が可能な表示パネル３０ｃにおいて表示される画像の見かけ上の表示階調値は「７．０」となる（図２０及び図２１のＯ参照）。
【０１１２】
このように、本実施形態では、３ビット深度（８階調）の階調表現が可能な表示パネル３０ｃにおいて、各階調値の中間値を表現することができる。これにより、図２０及び図２１に示すように、３ビット深度（８階調）の階調表現が可能な表示パネル３０ｃ上において視認される見かけの階調を１５段階とすることができる。
【０１１３】
図２２は、実施形態３に係る表示パネルの画素構成の一例を示す図である。
【０１１４】
本実施形態において、表示パネル３０ｃの画素４２は、Ｒ（赤）副画素（第１画素）を構成するセグメント４０Ｒ１，４０Ｒ２，４０Ｒ３、Ｇ（緑）副画素（第２画素）を構成するセグメント４０Ｇ１，４０Ｇ２，４０Ｇ３、Ｂ（青）副画素（第３画素）を構成するセグメント４０Ｂ１，４０Ｂ２，４０Ｂ３、及びＷ（白）副画素（第４画素）を構成するセグメント４０Ｗ１，４０Ｗ２，４０Ｗ３を有している。
【０１１５】
セグメント４０Ｒ１，４０Ｇ１，４０Ｂ１，４０Ｗ１は、それぞれ略同一の面積を有している。セグメント４０Ｒ２，４０Ｇ２，４０Ｂ２，４０Ｗ２は、それぞれ略同一の面積を有している。セグメント４０Ｒ３，４０Ｇ３，４０Ｂ３，４０Ｗ３は、それぞれ略同一の面積を有している。
【０１１６】
また、本実施形態では、セグメント４０Ｒ１，４０Ｇ１，４０Ｂ１，４０Ｗ１と、セグメント４０Ｒ２，４０Ｇ２，４０Ｂ２，４０Ｗ２と、セグメント４０Ｒ３，４０Ｇ３，４０Ｂ３，４０Ｗ３との面積比を１：２：４としている。
【０１１７】
また、本実施形態では、Ｒ副画素、Ｇ副画素、Ｂ副画素の表示輝度とＷ副画素の表示輝度との比を１：１としている。具体的に、セグメント４０Ｒ１，４０Ｇ１，４０Ｂ１の表示輝度とセグメント４０Ｗ１の表示輝度との比、セグメント４０Ｒ２，４０Ｇ２，４０Ｂ２の表示輝度とセグメント４０Ｗ２の表示輝度との比、セグメント４０Ｒ３，４０Ｇ３，４０Ｂ３の表示輝度とセグメント４０Ｗ３の表示輝度との比を、それぞれ１：１としている。
【０１１８】
実施形態３に係る表示パネル３０ｃの画素４２は、上述した画素構成において、セグメント４０Ｒ１，４０Ｇ１，４０Ｂ１，４０Ｗ１を点灯させることにより、１階調分の表現が可能である。また、セグメント４０Ｒ２，４０Ｇ２，４０Ｂ２，４０Ｗ２を点灯させることにより、２階調分の表現が可能である。また、セグメント４０Ｒ３，４０Ｇ３，４０Ｂ３，４０Ｗ３を点灯させることにより、４階調分の表現が可能である。これらセグメント４０Ｒ１，４０Ｇ１，４０Ｂ１，４０Ｗ１、セグメント４０Ｒ２，４０Ｇ２，４０Ｂ２，４０Ｗ２、セグメント４０Ｒ３，４０Ｇ３，４０Ｂ３，４０Ｗ３の点灯／非点灯を切り替えることにより、３ビット深度（８階調）の階調表現を可能としている。なお、図２２に示す各セグメントの形状は一例であって、図２２に示す例に限るものではない。
【０１１９】
図２３Ａは、Ｒ副画素、Ｇ副画素、Ｂ副画素、及びＷ副画素の図２０及び図２１のＡに示す表示パターンの一例を示す図である。図２３Ｂは、Ｒ副画素、Ｇ副画素、Ｂ副画素、及びＷ副画素の図２０及び図１９のＢに示す表示パターンの一例を示す図である。図２３Ｃは、Ｒ副画素、Ｇ副画素、Ｂ副画素、及びＷ副画素の図１８及び図２１のＣに示す表示パターンの一例を示す図である。図２３Ｄは、Ｒ副画素、Ｇ副画素、Ｂ副画素、及びＷ副画素の図２０及び図２１のＤに示す表示パターンの一例を示す図である。図２３Ｅは、Ｒ副画素、Ｇ副画素、Ｂ副画素、及びＷ副画素の図２０及び図２１のＥに示す表示パターンの一例を示す図である。図２３Ｆは、Ｒ副画素、Ｇ副画素、Ｂ副画素、及びＷ副画素の図２０及び図２１のＦに示す表示パターンの一例を示す図である。図２３Ｇは、Ｒ副画素、Ｇ副画素、Ｂ副画素、及びＷ副画素の図２０及び図２１のＧに示す表示パターンの一例を示す図である。図２３Ｈは、Ｒ副画素、Ｇ副画素、Ｂ副画素、及びＷ副画素の図２０及び図２１のＨに示す表示パターンの一例を示す図である。図２３Ｉは、Ｒ副画素、Ｇ副画素、Ｂ副画素、及びＷ副画素の図２０及び図２１のＩに示す表示パターンの一例を示す図である。図２３Ｊは、Ｒ副画素、Ｇ副画素、Ｂ副画素、及びＷ副画素の図２０及び図２１のＪに示す表示パターンの一例を示す図である。図２３Ｋは、Ｒ副画素、Ｇ副画素、Ｂ副画素、及びＷ副画素の図２０及び図２１のＫに示す表示パターンの一例を示す図である。図２３Ｌは、Ｒ副画素、Ｇ副画素、Ｂ副画素、及びＷ副画素の図２０及び図２１のＬに示す表示パターンの一例を示す図である。図２３Ｍは、Ｒ副画素、Ｇ副画素、Ｂ副画素、及びＷ副画素の図２０及び図２１のＭに示す表示パターンの一例を示す図である。図２３Ｎは、Ｒ副画素、Ｇ副画素、Ｂ副画素、及びＷ副画素の図２０及び図２１のＮに示す表示パターンの一例を示す図である。図２３Ｏは、Ｒ副画素、Ｇ副画素、Ｂ副画素、及びＷ副画素の図２０及び図２１のＯに示す表示パターンの一例を示す図である。なお、図２３Ａ乃至図２３Ｏに示す各表示パターンは一例であって、図２３Ａ乃至図２３Ｏに示す例に限るものではない。
【０１２０】
図２３Ａ乃至図２３Ｏに示す例において、網掛けされているセグメント４０Ｒ１，４０Ｇ１，４０Ｂ１，４０Ｗ１の表示階調は「０」、白抜きされているセグメント４０Ｒ１，４０Ｇ１，４０Ｂ１，４０Ｗ１の表示階調は「１」である。
【０１２１】
また、図２３Ａ乃至図２３Ｏに示す例において、網掛けされているセグメント４０Ｒ２，４０Ｇ２，４０Ｂ２，４０Ｗ２の表示階調は「０」、白抜きされているセグメント４０Ｒ２，４０Ｇ２，４０Ｂ２，４０Ｗ２の表示階調は「２」である。
【０１２２】
また、図２３Ａ乃至図２３Ｏに示す例において、網掛けされているセグメント４０Ｒ３，４０Ｇ３，４０Ｂ３，４０Ｗ３の表示階調は「０」、白抜きされているセグメント４０Ｒ３，４０Ｇ３，４０Ｂ３，４０Ｗ３の表示階調は「４」である。
【０１２３】
図２３Ａに示す表示パターンＡでは、全ての副画素の表示階調が「０」となり、画素４２の階調値は「０」となる。このとき、３ビット深度（８階調）の階調表現が可能な画素４２における見かけ上の表示階調値は「０．０」となる。
【０１２４】
また、図２３Ｂに示す表示パターンＢでは、セグメント４０Ｗ１の表示階調が「１」となる。この結果として、画素４２の階調値は「１」となる。このとき、３ビット深度（８階調）の階調表現が可能な画素４２における見かけ上の表示階調値は「０．５」となる。
【０１２５】
また、図２３Ｃに示す表示パターンＣでは、セグメント４０Ｒ１，４０Ｇ１，４０Ｂ１の表示階調が「１」、セグメント４０Ｗ１の表示階調が「１」となる。この結果として、画素４２の階調値は「２」となる。このとき、３ビット深度（８階調）の階調表現が可能な画素４２における見かけ上の表示階調値は「１．０」となる。
【０１２６】
また、図２３Ｄに示す表示パターンＤでは、セグメント４０Ｒ１，４０Ｇ１，４０Ｂ１の表示階調が「１」、セグメント４０Ｗ２の表示階調が「２」となる。この結果として、画素４２の階調値は「３」となる。このとき、３ビット深度（８階調）の階調表現が可能な画素４２における見かけ上の表示階調値は「１．５」となる。
【０１２７】
また、図２３Ｅに示す表示パターンＥでは、セグメント４０Ｒ２，４０Ｇ２，４０Ｂ２の表示階調が「２」、セグメント４０Ｗ２の表示階調が「２」となる。この結果として、画素４２の階調値は「４」となる。このとき、３ビット深度（８階調）の階調表現が可能な画素４２における見かけ上の表示階調値は「２．０」となる。
【０１２８】
また、図２３Ｆに示す表示パターンＦでは、セグメント４０Ｒ２，４０Ｇ２，４０Ｂ２の表示階調が「２」、セグメント４０Ｗ１の表示階調が「１」、セグメント４０Ｗ２の表示階調が「２」となる。この結果として、画素４２の階調値は「５」となる。このとき、３ビット深度（８階調）の階調表現が可能な画素４２における見かけ上の表示階調値は「２．５」となる。
【０１２９】
また、図２３Ｇに示す表示パターンＧでは、セグメント４０Ｒ１，４０Ｇ１，４０Ｂ１の表示階調が「１」、セグメント４０Ｒ２，４０Ｇ２，４０Ｂ２の表示階調が「２」、セグメント４０Ｗ１の表示階調が「１」、セグメント４０Ｗ２の表示階調が「２」となる。この結果として、画素４２の階調値は「６」となる。このとき、３ビット深度（８階調）の階調表現が可能な画素４２における見かけ上の表示階調値は「３．０」となる。
【０１３０】
また、図２３Ｈに示す表示パターンＨでは、セグメント４０Ｒ１，４０Ｇ１，４０Ｂ１の表示階調が「１」、セグメント４０Ｒ２，４０Ｇ２，４０Ｂ２の表示階調が「２」、セグメント４０Ｗ３の表示階調が「４」となる。この結果として、画素４２の階調値は「７」となる。このとき、３ビット深度（８階調）の階調表現が可能な画素４２における見かけ上の表示階調値は「３．５」となる。
【０１３１】
また、図２３Ｉに示す表示パターンＩでは、セグメント４０Ｒ３，４０Ｇ３，４０Ｂ３の表示階調が「４」、セグメント４０Ｗ３の表示階調が「４」となる。この結果として、画素４２の階調値は「８」となる。このとき、３ビット深度（８階調）の階調表現が可能な画素４２における見かけ上の表示階調値は「４．０」となる。
【０１３２】
また、図２３Ｊに示す表示パターンＪでは、セグメント４０Ｒ３，４０Ｇ３，４０Ｂ３の表示階調が「４」、セグメント４０Ｗ１の表示階調が「１」、セグメント４０Ｗ３の表示階調が「４」となる。この結果として、画素４２の階調値は「９」となる。このとき、３ビット深度（８階調）の階調表現が可能な画素４２における見かけ上の表示階調値は「４．５」となる。
【０１３３】
また、図２３Ｋに示す表示パターンＫでは、セグメント４０Ｒ１，４０Ｇ１，４０Ｂ１の表示階調が「１」、セグメント４０Ｒ３，４０Ｇ３，４０Ｂ３の表示階調が「４」、セグメント４０Ｗ１の表示階調が「１」、セグメント４０Ｗ３の表示階調が「４」となる。この結果として、画素４２の階調値は「１０」となる。このとき、３ビット深度（８階調）の階調表現が可能な画素４２における見かけ上の表示階調値は「５．０」となる。
【０１３４】
また、図２３Ｌに示す表示パターンＬでは、セグメント４０Ｒ１，４０Ｇ１，４０Ｂ１の表示階調が「１」、セグメント４０Ｒ３，４０Ｇ３，４０Ｂ３の表示階調が「４」、セグメント４０Ｗ２の表示階調が「２」、セグメント４０Ｗ３の表示階調が「４」となる。この結果として、画素４２の階調値は「１１」となる。このとき、３ビット深度（８階調）の階調表現が可能な画素４２における見かけ上の表示階調値は「５．５」となる。
【０１３５】
また、図２３Ｍに示す表示パターンＭでは、セグメント４０Ｒ２，４０Ｇ２，４０Ｂ２の表示階調が「２」、セグメント４０Ｒ３，４０Ｇ３，４０Ｂ３の表示階調が「４」、セグメント４０Ｗ２の表示階調が「２」、セグメント４０Ｗ３の表示階調が「４」となる。この結果として、画素４２の階調値は「１２」となる。このとき、３ビット深度（８階調）の階調表現が可能な画素４２における見かけ上の表示階調値は「６．０」となる。
【０１３６】
また、図２３Ｎに示す表示パターンＮでは、セグメント４０Ｒ２，４０Ｇ２，４０Ｂ２の表示階調が「２」、セグメント４０Ｒ３，４０Ｇ３，４０Ｂ３の表示階調が「４」、セグメント４０Ｗ１の表示階調が「１」、セグメント４０Ｗ２の表示階調が「２」、セグメント４０Ｗ３の表示階調が「４」となる。この結果として、画素４２の階調値は「１３」となる。このとき、３ビット深度（８階調）の階調表現が可能な画素４２における見かけ上の表示階調値は「６．５」となる。
【０１３７】
また、図２３Ｏに示す表示パターンＯでは、セグメント４０Ｒ１，４０Ｇ１，４０Ｂ１の表示階調が「１」、セグメント４０Ｒ２，４０Ｇ２，４０Ｂ２の表示階調が「２」、セグメント４０Ｒ３，４０Ｇ３，４０Ｂ３の表示階調が「４」、セグメント４０Ｗ１の表示階調が「１」、セグメント４０Ｗ２の表示階調が「２」、セグメント４０Ｗ３の表示階調が「４」となる。この結果として、画素４２の階調値は「１４」となる。このとき、３ビット深度（８階調）の階調表現が可能な画素４２における見かけ上の表示階調値は「７．０」となる。
【０１３８】
上述したように、本実施形態において、階調処理部２０ｃの第１ビット演算部２０１ｃは、４ビット深度（１６階調）のＲＧＢ信号の各階調データの０ｂｉｔ目を切り捨てて３ビット深度（８階調）とし、表示パネル３０ｃに出力する。また、階調処理部２０ｃの第２ビット演算部２０２ｃは、４ビット深度（１６階調）のＷ信号の階調データにデータ値「１」を加算した後、０ｂｉｔ目を切り捨てて３ビット深度（８階調）とし、表示パネル３０ｃに出力する。これにより、画素４２の表示階調数が８、すなわち３ビット深度（８階調）の階調表現が可能な表示パネル３０ｃ上において視認される見かけの階調を１５段階とすることができる。
【０１３９】
特に、上述したように、例えば、表示パネル３０ｃとして、Ｒ副画素、Ｇ副画素、Ｂ副画素、及びＷ副画素がそれぞれ１：２：４の面積比を有する３つのセグメントで構成され、各セグメント毎に２値のデータを記憶可能なメモリを有するＭＩＰパネルを採用した構成において、Ｒ副画素、Ｇ副画素、Ｂ副画素の表示輝度とＷ副画素の表示輝度との比が１：１である構成に好適である。
【０１４０】
なお、階調処理部２０ｃの第１ビット演算部２０１ｃにおいて、４ビット深度（１６階調）のＲＧＢ信号の各階調データにデータ値「１」を加算した後、０ｂｉｔ目を切り捨てて３ビット深度（８階調）とし、階調処理部２０ｃの第２ビット演算部２０２ｃにおいて、４ビット深度（１６階調）のＷ信号の階調データの０ｂｉｔ目を切り捨てて３ビット深度（８階調）とする態様であっても良い。
【０１４１】
以上説明したように、実施形態３に係る表示装置１ｃにおいて、Ｒ（赤）副画素（第１画素）、Ｇ（緑）副画素（第２画素）、Ｂ（青）副画素（第３画素）、及びＷ（白）副画素（第４画素）は、それぞれ所定の面積比を有する複数のセグメントで構成され、セグメント毎に２値のデータを記憶可能なメモリを有する。表示パネル３０ｃは、ＲＧＢ信号（第１信号）の各階調データ及びＷ信号（第２信号）の階調データに応じた複数の表示パターンで表示する。
【０１４２】
これにより、第２ビット深度（３ビット深度、すなわち８階調）の階調表現が可能な表示パネル３０ｃにおいて、各階調値の中間値を表現することができ、表示パネル３０ｃ上において視認される見かけの階調を増加させることができる。換言すれば、表示パネル３０ｃの表示階調よりも高い階調表現が可能となる。
【０１４３】
本実施形態により、表示パネル３０ｃの表示階調よりも高い階調表現が可能な表示装置１ｃを得ることができる。
【０１４４】
（実施形態４）
図２４は、実施形態４に係る信号処理部の構成の一例を示すブロック図である。図２４に示すように、実施形態４に係る表示装置１ｄにおいて、表示パネル３０ｄは、実施形態３において説明した表示装置１ｃの表示パネル３０ｃと同様に、画素内に２値のデータを記憶可能なメモリを有するＭＩＰ方式を採用したＭＩＰパネルである。なお、実施形態４に係る表示パネル３０ｄの画素構成は実施形態３と同一であるが、本実施形態では、Ｒ副画素、Ｇ副画素、Ｂ副画素の表示輝度とＷ副画素の表示輝度との比を２：１としている点で、実施形態３とは異なっている。具体的に、本実施形態では、セグメント４０Ｒ１，４０Ｇ１，４０Ｂ１の表示輝度とセグメント４０Ｗ１の表示輝度との比、セグメント４０Ｒ２，４０Ｇ２，４０Ｂ２の表示輝度とセグメント４０Ｗ２の表示輝度との比、セグメント４０Ｒ３，４０Ｇ３，４０Ｂ３の表示輝度とセグメント４０Ｗ３の表示輝度との比を、それぞれ２：１としている。
【０１４５】
画像処理部１０ｄは、入力されたＲ（赤）、Ｇ（緑）、Ｂ（青）の各色８ビット深度の各階調データを含む画像信号を、Ｒ（赤）、Ｇ（緑）、Ｂ（青）の各色５ビット深度の各階調データを含むＲＧＢ信号（第１信号）、及び、Ｗ（白）の５ビット深度の階調データを含むＷ信号（第２信号）に変換する。
【０１４６】
具体的に、画像処理部１０ｄは、伸張処理等の内部演算処理によってビット深度が増加したＲＧＢ信号（第１信号）の各階調データ及びＷ信号（第２信号）の階調データの下位ビットを切り捨てた上位５ビット深度の階調データを出力する。
【０１４７】
次に、実施形態４に係る表示装置１ｃの信号処理例について、図２５乃至図２８を参照して説明する。
【０１４８】
図２５は、実施形態４に係る第１ビット演算部における階調処理の過程の一例を示す図である。図２６は、実施形態４に係る第２ビット演算部における階調処理の過程の一例を示す図である。図２７は、実施形態４の表示パネル上において視認される表示階調値を示す図である。図２８は、実施形態４に係る表示装置における各部階調と表示パネル上において視認される表示階調値との関係を模式的に示す図である。
【０１４９】
図２５及び図２６に示すように、信号処理部１００ｄに入力された画像信号に含まれるＲ（赤）、Ｇ（緑）、Ｂ（青）の８ビット深度（２５６階調）の各階調データは、画像処理部１０ｃにおいてＲ（赤）、Ｇ（緑）、Ｂ（青）の５ビット深度（３２階調）の各階調データを含むＲＧＢ信号、及び、Ｗ（白）の５ビット深度（３２階調）のＷ信号に変換される。５ビット深度（３２階調）の各階調データに変換されたＲＧＢ信号は、階調処理部２０ｄの第１ビット演算部２０１ｄに入力される。５ビット深度（３２階調）の階調データに変換されたＷ信号は、階調処理部２０ｄの第２ビット演算部２０２ｄに入力される。図２５及び図２６では、８ビット深度（２５６階調）のＲＧＢ信号の各階調データの２ｂｉｔ目以下を切り捨てて５ビット深度（３２階調）とし、８ビット深度（２５６階調）のＷ信号の階調データの２ｂｉｔ目以下を切り捨てて５ビット深度（３２階調）とした例を示している。
【０１５０】
階調処理部２０ｄの第１ビット演算部２０１ｄは、５ビット深度（３２階調）のＲＧＢ信号の各階調データを３ビット深度（８階調）に変換する。具体的に、第１ビット演算部２０１ｄは、図２５に示すように、５ビット深度（３２階調）のＲ（赤）、Ｇ（緑）、Ｂ（青）の各階調データの１ｂｉｔ目の値を２ｂｉｔ目の値に加算した後、１ｂｉｔ目以下を切り捨てて３ビット深度（８階調）とし、表示パネル３０ｄに出力する。なお、Ｒ（赤）、Ｇ（緑）、Ｂ（青）の各階調データ「１１１＊＊」に対しては、階調処理部２０ｄの第１ビット演算部２０１ｄの階調処理において、当該階調データの１ｂｉｔ目の値の２ｂｉｔ目の値への加算を行わない。これにより、ビットオーバーフローを防ぐことができる。
【０１５１】
階調処理部２０ｄの第２ビット演算部２０２ｄは、５ビット深度（３２階調）のＷ信号の階調データを３ビット深度（８階調）に変換する。具体的に、第２ビット演算部２０２ｄは、図２６に示すように、５ビット深度（３２階調）のＷ（白）の階調データの０ｂｉｔ目の値を２ｂｉｔ目の値に加算した後、１ｂｉｔ目以下を切り捨てて３ビット深度（８階調）とし、表示パネル３０ｄに出力する。なお、Ｗ（白）の階調データ「１１１＊＊」に対しては、階調処理部２０ｄの第２ビット演算部２０２ｄの階調処理において、当該階調データの０ｂｉｔ目の値の２ｂｉｔ目の値への加算を行わない。これにより、ビットオーバーフローを防ぐことができる。
【０１５２】
ここで、階調処理前のＲＧＢ信号（第１信号）の各階調データとＷ信号（第２信号）の階調データとが同じ値であるとき、階調処理後のＲＧＢ信号（第１信号）の各階調データとＷ信号（第２信号）の階調データとが、互いに同じ値となる場合と、互いに１だけずれた値となる場合とが混在する。この階調処理後のＲＧＢ信号（第１信号）の各階調データとＷ信号（第２信号）の階調データとが、互いに１だけずれた値となる場合に、３ビット深度、すなわち、８階調の階調表現が可能な表示パネル３０ｄにおいて、各階調値の中間値を表現することができる。
【０１５３】
図２７及び図２８に示すように、階調処理後のＲ（赤）、Ｇ（緑）、Ｂ（青）の各階調データの階調値×２の値が「０」、階調処理後のＷ（白）の階調データの階調値が「０」であるとき、階調処理後のＲ（赤）、Ｇ（緑）、Ｂ（青）の各階調データの階調値×２の値「０」とＷ（白）の階調データの階調値「０」とを加算すると「０」となる。このとき、３ビット深度（８階調）の階調表現が可能な表示パネル３０ｄにおいて表示される画像の見かけ上の表示階調値は「０．００」となる（図２７及び図２８のＡ参照）。
【０１５４】
また、図２７及び図２８に示すように、階調処理後のＲ（赤）、Ｇ（緑）、Ｂ（青）の各階調データの階調値×２の値が「０」、階調処理後のＷ（白）の階調データの階調値が「１」であるとき、階調処理後のＲ（赤）、Ｇ（緑）、Ｂ（青）の各階調データの階調値×２の値「０」とＷ（白）の階調データの階調値「１」とを加算すると「１」となる。このとき、３ビット深度（８階調）の階調表現が可能な表示パネル３０ｄにおいて表示される画像の見かけ上の表示階調値は「０．３３」となる（図２７及び図２８のＢ参照）。
【０１５５】
また、図２７及び図２８に示すように、階調処理後のＲ（赤）、Ｇ（緑）、Ｂ（青）の各階調データの階調値×２の値が「２」、階調処理後のＷ（白）の階調データの階調値が「０」であるとき、階調処理後のＲ（赤）、Ｇ（緑）、Ｂ（青）の各階調データの階調値×２の値「２」とＷ（白）の階調データの階調値「０」とを加算すると「２」となる。このとき、３ビット深度（８階調）の階調表現が可能な表示パネル３０ｄにおいて表示される画像の見かけ上の表示階調値は「０．６７」となる（図２７及び図２８のＣ参照）。
【０１５６】
また、図２７及び図２８に示すように、階調処理後のＲ（赤）、Ｇ（緑）、Ｂ（青）の各階調データの階調値×２の値が「２」、階調処理後のＷ（白）の階調データの階調値が「１」であるとき、階調処理後のＲ（赤）、Ｇ（緑）、Ｂ（青）の各階調データの階調値×２の値「２」とＷ（白）の階調データの階調値「１」とを加算すると「３」となる。このとき、３ビット深度（８階調）の階調表現が可能な表示パネル３０ｄにおいて表示される画像の見かけ上の表示階調値は「１．００」となる（図２７及び図２８のＤ参照）。
【０１５７】
また、図２７及び図２８に示すように、階調処理後のＲ（赤）、Ｇ（緑）、Ｂ（青）の各階調データの階調値×２の値が「２」、階調処理後のＷ（白）の階調データの階調値が「２」であるとき、階調処理後のＲ（赤）、Ｇ（緑）、Ｂ（青）の各階調データの階調値×２の値「２」とＷ（白）の階調データの階調値「２」とを加算すると「４」となる。このとき、３ビット深度（８階調）の階調表現が可能な表示パネル３０ｄにおいて表示される画像の見かけ上の表示階調値は「１．３３」となる（図２７及び図２８のＥ参照）。
【０１５８】
また、図２７及び図２８に示すように、階調処理後のＲ（赤）、Ｇ（緑）、Ｂ（青）の各階調データの階調値×２の値が「４」、階調処理後のＷ（白）の階調データの階調値が「１」であるとき、階調処理後のＲ（赤）、Ｇ（緑）、Ｂ（青）の各階調データの階調値×２の値「４」とＷ（白）の階調データの階調値「１」とを加算すると「５」となる。このとき、３ビット深度（８階調）の階調表現が可能な表示パネル３０ｄにおいて表示される画像の見かけ上の表示階調値は「１．６７」となる（図２７及び図２８のＦ参照）。
【０１５９】
また、図２７及び図２８に示すように、階調処理後のＲ（赤）、Ｇ（緑）、Ｂ（青）の各階調データの階調値×２の値が「４」、階調処理後のＷ（白）の階調データの階調値が「２」であるとき、階調処理後のＲ（赤）、Ｇ（緑）、Ｂ（青）の各階調データの階調値×２の値「４」とＷ（白）の階調データの階調値「２」とを加算すると「６」となる。このとき、３ビット深度（８階調）の階調表現が可能な表示パネル３０ｄにおいて表示される画像の見かけ上の表示階調値は「２．００」となる（図２７及び図２８のＧ参照）。
【０１６０】
また、図２７及び図２８に示すように、階調処理後のＲ（赤）、Ｇ（緑）、Ｂ（青）の各階調データの階調値×２の値が「４」、階調処理後のＷ（白）の階調データの階調値が「３」であるとき、階調処理後のＲ（赤）、Ｇ（緑）、Ｂ（青）の各階調データの階調値×２の値「４」とＷ（白）の階調データの階調値「３」とを加算すると「７」となる。このとき、３ビット深度（８階調）の階調表現が可能な表示パネル３０ｄにおいて表示される画像の見かけ上の表示階調値は「２．３３」となる（図２７及び図２８のＨ参照）。
【０１６１】
また、図２７及び図２８に示すように、階調処理後のＲ（赤）、Ｇ（緑）、Ｂ（青）の各階調データの階調値×２の値が「６」、階調処理後のＷ（白）の階調データの階調値が「２」であるとき、階調処理後のＲ（赤）、Ｇ（緑）、Ｂ（青）の各階調データの階調値×２の値「６」とＷ（白）の階調データの階調値「２」とを加算すると「８」となる。このとき、３ビット深度（８階調）の階調表現が可能な表示パネル３０ｄにおいて表示される画像の見かけ上の表示階調値は「２．６７」となる（図２７及び図２８のＩ参照）。
【０１６２】
また、図２７及び図２８に示すように、階調処理後のＲ（赤）、Ｇ（緑）、Ｂ（青）の各階調データの階調値×２の値が「６」、階調処理後のＷ（白）の階調データの階調値が「３」であるとき、階調処理後のＲ（赤）、Ｇ（緑）、Ｂ（青）の各階調データの階調値×２の値「６」とＷ（白）の階調データの階調値「３」とを加算すると「９」となる。このとき、３ビット深度（８階調）の階調表現が可能な表示パネル３０ｄにおいて表示される画像の見かけ上の表示階調値は「３．００」となる（図２７及び図２８のＪ参照）。
【０１６３】
また、図２７及び図２８に示すように、階調処理後のＲ（赤）、Ｇ（緑）、Ｂ（青）の各階調データの階調値×２の値が「６」、階調処理後のＷ（白）の階調データの階調値が「４」であるとき、階調処理後のＲ（赤）、Ｇ（緑）、Ｂ（青）の各階調データの階調値×２の値「６」とＷ（白）の階調データの階調値「４」とを加算すると「１０」となる。このとき、３ビット深度（８階調）の階調表現が可能な表示パネル３０ｄにおいて表示される画像の見かけ上の表示階調値は「３．３３」となる（図２７及び図２８のＫ参照）。
【０１６４】
また、図２７及び図２８に示すように、階調処理後のＲ（赤）、Ｇ（緑）、Ｂ（青）の各階調データの階調値×２の値が「８」、階調処理後のＷ（白）の階調データの階調値が「３」であるとき、階調処理後のＲ（赤）、Ｇ（緑）、Ｂ（青）の各階調データの階調値×２の値「８」とＷ（白）の階調データの階調値「３」とを加算すると「１１」となる。このとき、３ビット深度（８階調）の階調表現が可能な表示パネル３０ｄにおいて表示される画像の見かけ上の表示階調値は「３．６７」となる（図２７及び図２８のＬ参照）。
【０１６５】
また、図２７及び図２８に示すように、階調処理後のＲ（赤）、Ｇ（緑）、Ｂ（青）の各階調データの階調値×２の値が「８」、階調処理後のＷ（白）の階調データの階調値が「４」であるとき、階調処理後のＲ（赤）、Ｇ（緑）、Ｂ（青）の各階調データの階調値×２の値「８」とＷ（白）の階調データの階調値「４」とを加算すると「１２」となる。このとき、３ビット深度（８階調）の階調表現が可能な表示パネル３０ｄにおいて表示される画像の見かけ上の表示階調値は「４．００」となる（図２７及び図２８のＭ参照）。
【０１６６】
また、図２７及び図２８に示すように、階調処理後のＲ（赤）、Ｇ（緑）、Ｂ（青）の各階調データの階調値×２の値が「８」、階調処理後のＷ（白）の階調データの階調値が「５」であるとき、階調処理後のＲ（赤）、Ｇ（緑）、Ｂ（青）の各階調データの階調値×２の値「８」とＷ（白）の階調データの階調値「５」とを加算すると「１３」となる。このとき、３ビット深度（８階調）の階調表現が可能な表示パネル３０ｄにおいて表示される画像の見かけ上の表示階調値は「４．３３」となる（図２７及び図２８のＮ参照）。
【０１６７】
また、図２７及び図２８に示すように、階調処理後のＲ（赤）、Ｇ（緑）、Ｂ（青）の各階調データの階調値×２の値が「１０」、階調処理後のＷ（白）の階調データの階調値が「４」であるとき、階調処理後のＲ（赤）、Ｇ（緑）、Ｂ（青）の各階調データの階調値×２の値「１０」とＷ（白）の階調データの階調値「４」とを加算すると「１４」となる。このとき、３ビット深度（８階調）の階調表現が可能な表示パネル３０ｄにおいて表示される画像の見かけ上の表示階調値は「４．６７」となる（図２７及び図２８のＯ参照）。
【０１６８】
また、図２７及び図２８に示すように、階調処理後のＲ（赤）、Ｇ（緑）、Ｂ（青）の各階調データの階調値×２の値が「１０」、階調処理後のＷ（白）の階調データの階調値が「５」であるとき、階調処理後のＲ（赤）、Ｇ（緑）、Ｂ（青）の各階調データの階調値×２の値「１０」とＷ（白）の階調データの階調値「５」とを加算すると「１５」となる。このとき、３ビット深度（８階調）の階調表現が可能な表示パネル３０ｄにおいて表示される画像の見かけ上の表示階調値は「５．００」となる（図２７及び図２８のＰ参照）。
【０１６９】
また、図２７及び図２８に示すように、階調処理後のＲ（赤）、Ｇ（緑）、Ｂ（青）の各階調データの階調値×２の値が「１０」、階調処理後のＷ（白）の階調データの階調値が「６」であるとき、階調処理後のＲ（赤）、Ｇ（緑）、Ｂ（青）の各階調データの階調値×２の値「１０」とＷ（白）の階調データの階調値「６」とを加算すると「１６」となる。このとき、３ビット深度（８階調）の階調表現が可能な表示パネル３０ｄにおいて表示される画像の見かけ上の表示階調値は「５．３３」となる（図２７及び図２８のＱ参照）。
【０１７０】
また、図２７及び図２８に示すように、階調処理後のＲ（赤）、Ｇ（緑）、Ｂ（青）の各階調データの階調値×２の値が「１２」、階調処理後のＷ（白）の階調データの階調値が「５」であるとき、階調処理後のＲ（赤）、Ｇ（緑）、Ｂ（青）の各階調データの階調値×２の値「１２」とＷ（白）の階調データの階調値「５」とを加算すると「１７」となる。このとき、３ビット深度（８階調）の階調表現が可能な表示パネル３０ｄにおいて表示される画像の見かけ上の表示階調値は「５．６７」となる（図２７及び図２８のＲ参照）。
【０１７１】
また、図２７及び図２８に示すように、階調処理後のＲ（赤）、Ｇ（緑）、Ｂ（青）の各階調データの階調値×２の値が「１２」、階調処理後のＷ（白）の階調データの階調値が「６」であるとき、階調処理後のＲ（赤）、Ｇ（緑）、Ｂ（青）の各階調データの階調値×２の値「１２」とＷ（白）の階調データの階調値「６」とを加算すると「１８」となる。このとき、３ビット深度（８階調）の階調表現が可能な表示パネル３０ｄにおいて表示される画像の見かけ上の表示階調値は「６．００」となる（図２７及び図２８のＳ参照）。
【０１７２】
また、図２７及び図２８に示すように、階調処理後のＲ（赤）、Ｇ（緑）、Ｂ（青）の各階調データの階調値×２の値が「１２」、階調処理後のＷ（白）の階調データの階調値が「７」であるとき、階調処理後のＲ（赤）、Ｇ（緑）、Ｂ（青）の各階調データの階調値×２の値「１２」とＷ（白）の階調データの階調値「７」とを加算すると「１９」となる。このとき、３ビット深度（８階調）の階調表現が可能な表示パネル３０ｄにおいて表示される画像の見かけ上の表示階調値は「６．３３」となる（図２７及び図２８のＴ参照）。
【０１７３】
また、図２７及び図２８に示すように、階調処理後のＲ（赤）、Ｇ（緑）、Ｂ（青）の各階調データの階調値×２の値が「１４」、階調処理後のＷ（白）の階調データの階調値が「６」であるとき、階調処理後のＲ（赤）、Ｇ（緑）、Ｂ（青）の各階調データの階調値×２の値「１４」とＷ（白）の階調データの階調値「６」とを加算すると「２０」となる。このとき、３ビット深度（８階調）の階調表現が可能な表示パネル３０ｄにおいて表示される画像の見かけ上の表示階調値は「６．６７」となる（図２７及び図２８のＵ参照）。
【０１７４】
また、図２７及び図２８に示すように、階調処理後のＲ（赤）、Ｇ（緑）、Ｂ（青）の各階調データの階調値×２の値が「１４」、階調処理後のＷ（白）の階調データの階調値が「７」であるとき、階調処理後のＲ（赤）、Ｇ（緑）、Ｂ（青）の各階調データの階調値×２の値「１４」とＷ（白）の階調データの階調値「７」とを加算した「２１」となる。このとき、３ビット深度（８階調）の階調表現が可能な表示パネル３０ｄにおいて表示される画像の見かけ上の表示階調値は「７．００」となる（図２７及び図２８のＶ参照）。
【０１７５】
このように、本実施形態では、３ビット深度（８階調）の階調表現が可能な表示パネル３０ｄにおいて、各階調値の中間値を表現することができる。これにより、図２７及び図２８に示すように、３ビット深度（８階調）の階調表現が可能な表示パネル３０ｄ上において視認される見かけの階調を２２段階とすることができる。
【０１７６】
図２９Ａは、Ｒ副画素、Ｇ副画素、Ｂ副画素、及びＷ副画素の図２７及び図２８のＡに示す表示パターンの一例を示す図である。図２９Ｂは、Ｒ副画素、Ｇ副画素、Ｂ副画素、及びＷ副画素の図２７及び図２８のＢに示す表示パターンの一例を示す図である。図２９Ｃは、Ｒ副画素、Ｇ副画素、Ｂ副画素、及びＷ副画素の図２７及び図２８のＣに示す表示パターンの一例を示す図である。図２９Ｄは、Ｒ副画素、Ｇ副画素、Ｂ副画素、及びＷ副画素の図２７及び図２８のＤに示す表示パターンの一例を示す図である。図２９Ｅは、Ｒ副画素、Ｇ副画素、Ｂ副画素、及びＷ副画素の図２７及び図２８のＥに示す表示パターンの一例を示す図である。図２９Ｆは、Ｒ副画素、Ｇ副画素、Ｂ副画素、及びＷ副画素の図２７及び図２８のＦに示す表示パターンの一例を示す図である。図２９Ｇは、Ｒ副画素、Ｇ副画素、Ｂ副画素、及びＷ副画素の図２７及び図２８のＧに示す表示パターンの一例を示す図である。図２９Ｈは、Ｒ副画素、Ｇ副画素、Ｂ副画素、及びＷ副画素の図２７及び図２８のＨに示す表示パターンの一例を示す図である。図２９Ｉは、Ｒ副画素、Ｇ副画素、Ｂ副画素、及びＷ副画素の図２７及び図２８のＩに示す表示パターンの一例を示す図である。図２９Ｊは、Ｒ副画素、Ｇ副画素、Ｂ副画素、及びＷ副画素の図２７及び図２８のＪに示す表示パターンの一例を示す図である。図２９Ｋは、Ｒ副画素、Ｇ副画素、Ｂ副画素、及びＷ副画素の図２７及び図２８のＫに示す表示パターンの一例を示す図である。図２９Ｌは、Ｒ副画素、Ｇ副画素、Ｂ副画素、及びＷ副画素の図２７及び図２８のＬに示す表示パターンの一例を示す図である。図２９Ｍは、Ｒ副画素、Ｇ副画素、Ｂ副画素、及びＷ副画素の図２７及び図２８のＭに示す表示パターンの一例を示す図である。図２９Ｎは、Ｒ副画素、Ｇ副画素、Ｂ副画素、及びＷ副画素の図２７及び図２８のＮに示す表示パターンの一例を示す図である。図２９Ｏは、Ｒ副画素、Ｇ副画素、Ｂ副画素、及びＷ副画素の図２７及び図２８のＯに示す表示パターンの一例を示す図である。図２９Ｐは、Ｒ副画素、Ｇ副画素、Ｂ副画素、及びＷ副画素の図２７及び図２８のＰに示す表示パターンの一例を示す図である。図２９Ｑは、Ｒ副画素、Ｇ副画素、Ｂ副画素、及びＷ副画素の図２７及び図２８のＱに示す表示パターンの一例を示す図である。図２９Ｒは、Ｒ副画素、Ｇ副画素、Ｂ副画素、及びＷ副画素の図２７及び図２８のＲに示す表示パターンの一例を示す図である。図２９Ｓは、Ｒ副画素、Ｇ副画素、Ｂ副画素、及びＷ副画素の図２７及び図２８のＳに示す表示パターンの一例を示す図である。図２９Ｔは、Ｒ副画素、Ｇ副画素、Ｂ副画素、及びＷ副画素の図２７及び図２８のＴに示す表示パターンの一例を示す図である。図２９Ｕは、Ｒ副画素、Ｇ副画素、Ｂ副画素、及びＷ副画素の図２７及び図２８のＵに示す表示パターンの一例を示す図である。図２９Ｖは、Ｒ副画素、Ｇ副画素、Ｂ副画素、及びＷ副画素の図２７及び図２８のＶに示す表示パターンの一例を示す図である。なお、図２９Ａ乃至図２９Ｖに示す各表示パターンは一例であって、図２９Ａ乃至図２９Ｖに示す例に限るものではない。
【０１７７】
上述したように、本実施形態において、図２９Ａ乃至図２９Ｖに示す例では、セグメント４０Ｒ１，４０Ｇ１，４０Ｂ１の表示輝度とセグメント４０Ｗ１の表示輝度との比、セグメント４０Ｒ２，４０Ｇ２，４０Ｂ２の表示輝度とセグメント４０Ｗ２の表示輝度との比、セグメント４０Ｒ３，４０Ｇ３，４０Ｂ３の表示輝度とセグメント４０Ｗ３の表示輝度との比を、それぞれ２：１としている。
【０１７８】
図２９Ａ乃至図２９Ｖに示す例において、網掛けされているセグメント４０Ｒ１，４０Ｇ１，４０Ｂ１，４０Ｗ１の表示階調は「０」、白抜きされているセグメント４０Ｒ１，４０Ｇ１，４０Ｂ１の表示階調は「２」、白抜きされているセグメント４０Ｗ１の表示階調は「１」である。
【０１７９】
また、図２９Ａ乃至図２９Ｖに示す例において、網掛けされているセグメント４０Ｒ２，４０Ｇ２，４０Ｂ２，４０Ｗ２の表示階調は「０」、白抜きされているセグメント４０Ｒ２，４０Ｇ２，４０Ｂ２の表示階調は「４」、白抜きされているセグメント４０Ｗ２の表示階調は「２」である。
【０１８０】
また、図２９Ａ乃至図２９Ｖに示す例において、網掛けされているセグメント４０Ｒ３，４０Ｇ３，４０Ｂ３，４０Ｗ３の表示階調は「０」、白抜きされているセグメント４０Ｒ３，４０Ｇ３，４０Ｂ３の表示階調は「８」、白抜きされているセグメント４０Ｗ３の表示階調は「４」である。
【０１８１】
図２９Ａに示す表示パターンＡでは、全ての副画素の表示階調が「０」となり、画素４２の階調値は「０」となる。このとき、３ビット深度（８階調）の階調表現が可能な画素４２における見かけ上の表示階調値は「０．００」となる。
【０１８２】
また、図２９Ｂに示す表示パターンＢでは、セグメント４０Ｗ１の表示階調が「１」となる。この結果として、画素４２の階調値は「１」となる。このとき、３ビット深度（８階調）の階調表現が可能な画素４２における見かけ上の表示階調値は「０．３３」となる。
【０１８３】
また、図２９Ｃに示す表示パターンＣでは、セグメント４０Ｒ１，４０Ｇ１，４０Ｂ１の表示階調が「２」となる。この結果として、画素４２の階調値は「２」となる。このとき、３ビット深度（８階調）の階調表現が可能な画素４２における見かけ上の表示階調値は「０．６７」となる。
【０１８４】
また、図２９Ｄに示す表示パターンＤでは、セグメント４０Ｒ１，４０Ｇ１，４０Ｂ１の表示階調が「２」、セグメント４０Ｗ２の表示階調が「１」となる。この結果として、画素４２の階調値は「３」となる。このとき、３ビット深度（８階調）の階調表現が可能な画素４２における見かけ上の表示階調値は「１．００」となる。
【０１８５】
また、図２９Ｅに示す表示パターンＥでは、セグメント４０Ｒ１，４０Ｇ１，４０Ｂ１の表示階調が「２」、セグメント４０Ｗ２の表示階調が「２」となる。この結果として、画素４２の階調値は「４」となる。このとき、３ビット深度（８階調）の階調表現が可能な画素４２における見かけ上の表示階調値は「１．３３」となる。
【０１８６】
また、図２９Ｆに示す表示パターンＦでは、セグメント４０Ｒ２，４０Ｇ２，４０Ｂ２の表示階調が「４」、セグメント４０Ｗ１の表示階調が「１」となる。この結果として、画素４２の階調値は「５」となる。このとき、３ビット深度（８階調）の階調表現が可能な画素４２における見かけ上の表示階調値は「１．６７」となる。
【０１８７】
また、図２９Ｇに示す表示パターンＧでは、セグメント４０Ｒ２，４０Ｇ２，４０Ｂ２の表示階調が「４」、セグメント４０Ｗ２の表示階調が「２」となる。この結果として、画素４２の階調値は「６」となる。このとき、３ビット深度（８階調）の階調表現が可能な画素４２における見かけ上の表示階調値は「２．００」となる。
【０１８８】
また、図２９Ｈに示す表示パターンＨでは、セグメント４０Ｒ２，４０Ｇ２，４０Ｂ２の表示階調が「４」、セグメント４０Ｗ１の表示階調が「１」、セグメント４０Ｗ２の表示階調が「２」となる。この結果として、画素４２の階調値は「７」となる。このとき、３ビット深度（８階調）の階調表現が可能な画素４２における見かけ上の表示階調値は「２．３３」となる。
【０１８９】
また、図２９Ｉに示す表示パターンＩでは、セグメント４０Ｒ１，４０Ｇ１，４０Ｂ１の表示階調が「２」、セグメント４０Ｒ２，４０Ｇ２，４０Ｂ２の表示階調が「４」、セグメント４０Ｗ２の表示階調が「２」となる。この結果として、画素４２の階調値は「８」となる。このとき、３ビット深度（８階調）の階調表現が可能な画素４２における見かけ上の表示階調値は「２．６７」となる。
【０１９０】
また、図２９Ｊに示す表示パターンＪでは、セグメント４０Ｒ１，４０Ｇ１，４０Ｂ１の表示階調が「２」、セグメント４０Ｒ２，４０Ｇ２，４０Ｂ２の表示階調が「４」、セグメント４０Ｗ１の表示階調が「１」、セグメント４０Ｗ２の表示階調が「２」となる。この結果として、画素４２の階調値は「９」となる。このとき、３ビット深度（８階調）の階調表現が可能な画素４２における見かけ上の表示階調値は「３．００」となる。
【０１９１】
なお、表示パネル３０ｃ上において視認される画素４２の階調値を「９」とする表示パターンは、図２９Ｊに示す表示パターンＪに限るものではなく、例えば、セグメント４０Ｒ３，４０Ｇ３，４０Ｂ３の表示階調を「８」、セグメント４０Ｗ１の表示階調を「１」とした態様であっても良い。
【０１９２】
また、図２９Ｋに示す表示パターンＫでは、セグメント４０Ｒ１，４０Ｇ１，４０Ｂ１の表示階調が「２」、セグメント４０Ｒ２，４０Ｇ２，４０Ｂ２の表示階調が「４」、セグメント４０Ｗ３の表示階調が「４」となる。この結果として、画素４２の階調値は「１０」となる。このとき、３ビット深度（８階調）の階調表現が可能な画素４２における見かけ上の表示階調値は「３．３３」となる。
【０１９３】
なお、表示パネル３０ｃ上において視認される画素４２の階調値を「１０」とする表示パターンは、図２９Ｋに示す表示パターンＫに限るものではなく、例えば、セグメント４０Ｒ３，４０Ｇ３，４０Ｂ３の表示階調を「８」、セグメント４０Ｗ２の表示階調を「２」とした態様であっても良い。
【０１９４】
また、図２９Ｌに示す表示パターンＬでは、セグメント４０Ｒ３，４０Ｇ３，４０Ｂ３の表示階調が「８」、セグメント４０Ｗ１の表示階調が「１」、セグメント４０Ｗ２の表示階調が「２」となる。この結果として、画素４２の階調値は「１１」となる。このとき、３ビット深度（８階調）の階調表現が可能な画素４２における見かけ上の表示階調値は「３．６７」となる。
【０１９５】
なお、表示パネル３０ｃ上において視認される画素４２の階調値を「１１」とする表示パターンは、図２９Ｌに示す表示パターンＬに限るものではなく、例えば、セグメント４０Ｒ１，４０Ｇ１，４０Ｂ１の表示階調を「２」、セグメント４０Ｒ３，４０Ｇ３，４０Ｂ３の表示階調を「８」、セグメント４０Ｗ１の表示階調を「１」とした態様であっても良い。
【０１９６】
また、図２９Ｍに示す表示パターンＭでは、セグメント４０Ｒ３，４０Ｇ３，４０Ｂ３の表示階調が「８」、セグメント４０Ｗ３の表示階調が「４」となる。この結果として、画素４２の階調値は「１２」となる。このとき、３ビット深度（８階調）の階調表現が可能な画素４２における見かけ上の表示階調値は「４．００」となる。
【０１９７】
なお、表示パネル３０ｃ上において視認される画素４２の階調値を「１２」とする表示パターンは、図２９Ｍに示す表示パターンＭに限るものではなく、例えば、セグメント４０Ｒ１，４０Ｇ１，４０Ｂ１の表示階調を「２」、セグメント４０Ｒ３，４０Ｇ３，４０Ｂ３の表示階調を「８」、セグメント４０Ｗ２の表示階調を「２」とした態様であっても良い。
【０１９８】
また、図２９Ｎに示す表示パターンＮでは、セグメント４０Ｒ３，４０Ｇ３，４０Ｂ３の表示階調が「８」、セグメント４０Ｗ１の表示階調が「１」、セグメント４０Ｗ３の表示階調が「４」となる。この結果として、画素４２の階調値は「１３」となる。このとき、３ビット深度（８階調）の階調表現が可能な画素４２における見かけ上の表示階調値は「４．３３」となる。
【０１９９】
なお、表示パネル３０ｃ上において視認される画素４２の階調値を「１３」とする表示パターンは、図２９Ｎに示す表示パターンＮに限るものではなく、例えば、セグメント４０Ｒ１，４０Ｇ１，４０Ｂ１の表示階調を「２」、セグメント４０Ｒ３，４０Ｇ３，４０Ｂ３の表示階調を「８」、セグメント４０Ｗ１の表示階調を「１」、セグメント４０Ｗ２の表示階調を「２」とした態様であっても良い。
【０２００】
また、図２９Ｏに示す表示パターンＯでは、セグメント４０Ｒ１，４０Ｇ１，４０Ｂ１の表示階調が「２」、セグメント４０Ｒ３，４０Ｇ３，４０Ｂ３の表示階調が「８」、セグメント４０Ｗ３の表示階調が「４」となる。この結果として、画素４２の階調値は「１４」となる。このとき、３ビット深度（８階調）の階調表現が可能な画素４２における見かけ上の表示階調値は「４．６７」となる。
【０２０１】
なお、表示パネル３０ｃ上において視認される画素４２の階調値を「１４」とする表示パターンは、図２９Ｏに示す表示パターンＯに限るものではなく、例えば、セグメント４０Ｒ２，４０Ｇ２，４０Ｂ２の表示階調を「４」、セグメント４０Ｒ３，４０Ｇ３，４０Ｂ３の表示階調を「８」、セグメント４０Ｗ２の表示階調を「２」とした態様であっても良い。
【０２０２】
また、図２９Ｐに示す表示パターンＰでは、セグメント４０Ｒ１，４０Ｇ１，４０Ｂ１の表示階調が「２」、セグメント４０Ｒ３，４０Ｇ３，４０Ｂ３の表示階調が「８」、セグメント４０Ｗ１の表示階調が「１」、セグメント４０Ｗ３の表示階調が「４」となる。この結果として、画素４２の階調値は「１５」となる。このとき、３ビット深度（８階調）の階調表現が可能な画素４２における見かけ上の表示階調値は「５．００」となる。
【０２０３】
なお、表示パネル３０ｃ上において視認される画素４２の階調値を「１５」とする表示パターンは、図２９Ｐに示す表示パターンＰに限るものではなく、例えば、セグメント４０Ｒ２，４０Ｇ２，４０Ｂ２の表示階調を「４」、セグメント４０Ｒ３，４０Ｇ３，４０Ｂ３の表示階調を「８」、セグメント４０Ｗ１の表示階調を「１」、セグメント４０Ｗ２の表示階調を「２」とした態様であっても良い。
【０２０４】
また、図２９Ｑに示す表示パターンＱでは、セグメント４０Ｒ１，４０Ｇ１，４０Ｂ１の表示階調が「２」、セグメント４０Ｒ３，４０Ｇ３，４０Ｂ３の表示階調が「８」、セグメント４０Ｗ２の表示階調が「２」、セグメント４０Ｗ３の表示階調が「４」となる。この結果として、画素４２の階調値は「１６」となる。このとき、３ビット深度（８階調）の階調表現が可能な画素４２における見かけ上の表示階調値は「５．３３」となる。
【０２０５】
なお、表示パネル３０ｃ上において視認される画素４２の階調値を「１６」とする表示パターンは、図２９Ｑに示す表示パターンＱに限るものではなく、例えば、セグメント４０Ｒ２，４０Ｇ２，４０Ｂ２の表示階調を「４」、セグメント４０Ｒ３，４０Ｇ３，４０Ｂ３の表示階調を「８」、セグメント４０Ｗ３の表示階調を「４」とした態様であっても良い。
【０２０６】
また、図２９Ｒに示す表示パターンＲでは、セグメント４０Ｒ２，４０Ｇ２，４０Ｂ２の表示階調が「４」、セグメント４０Ｒ３，４０Ｇ３，４０Ｂ３の表示階調が「８」、セグメント４０Ｗ１の表示階調が「１」、セグメント４０Ｗ３の表示階調が「４」となる。この結果として、画素４２の階調値は「１７」となる。このとき、３ビット深度（８階調）の階調表現が可能な画素４２における見かけ上の表示階調値は「５．６７」となる。
【０２０７】
なお、表示パネル３０ｃ上において視認される画素４２の階調値を「１７」とする表示パターンは、図２９Ｒに示す表示パターンＲに限るものではなく、例えば、セグメント４０Ｒ１，４０Ｇ１，４０Ｂ１の表示階調を「２」、セグメント４０Ｒ２，４０Ｇ２，４０Ｂ２の表示階調を「４」、セグメント４０Ｒ３，４０Ｇ３，４０Ｂ３の表示階調を「８」、セグメント４０Ｗ１の表示階調を「１」、セグメント４０Ｗ２の表示階調を「２」とした態様であっても良い。
【０２０８】
また、図２９Ｓに示す表示パターンＳでは、セグメント４０Ｒ２，４０Ｇ２，４０Ｂ２の表示階調が「４」、セグメント４０Ｒ３，４０Ｇ３，４０Ｂ３の表示階調が「８」、セグメント４０Ｗ２の表示階調が「２」、セグメント４０Ｗ３の表示階調が「４」となる。この結果として、画素４２の階調値は「１８」となる。このとき、３ビット深度（８階調）の階調表現が可能な画素４２における見かけ上の表示階調値は「６．００」となる。
【０２０９】
なお、表示パネル３０ｃ上において視認される画素４２の階調値を「１８」とする表示パターンは、図２９Ｓに示す表示パターンＳに限るものではなく、例えば、セグメント４０Ｒ１，４０Ｇ１，４０Ｂ１の表示階調を「２」、セグメント４０Ｒ２，４０Ｇ２，４０Ｂ２の表示階調を「４」、セグメント４０Ｒ３，４０Ｇ３，４０Ｂ３の表示階調を「８」、セグメント４０Ｗ３の表示階調を「４」とした態様であっても良い。
【０２１０】
また、図２９Ｔに示す表示パターンＴでは、セグメント４０Ｒ２，４０Ｇ２，４０Ｂ２の表示階調が「４」、セグメント４０Ｒ３，４０Ｇ３，４０Ｂ３の表示階調が「８」、セグメント４０Ｗ１の表示階調が「１」、セグメント４０Ｗ２の表示階調が「２」、セグメント４０Ｗ３の表示階調が「４」となる。この結果として、画素４２の階調値は「１９」となる。このとき、３ビット深度（８階調）の階調表現が可能な画素４２における見かけ上の表示階調値は「６．３３」となる。
【０２１１】
なお、表示パネル３０ｃ上において視認される画素４２の階調値を「１９」とする表示パターンは、図２９Ｔに示す表示パターンＴに限るものではなく、例えば、セグメント４０Ｒ１，４０Ｇ１，４０Ｂ１の表示階調を「２」、セグメント４０Ｒ２，４０Ｇ２，４０Ｂ２の表示階調を「４」、セグメント４０Ｒ３，４０Ｇ３，４０Ｂ３の表示階調を「８」、セグメント４０Ｗ１の表示階調を「１」、セグメント４０Ｗ３の表示階調を「４」とした態様であっても良い。
【０２１２】
また、図２９Ｕに示す表示パターンＵでは、セグメント４０Ｒ１，４０Ｇ１，４０Ｂ１の表示階調が「２」、セグメント４０Ｒ２，４０Ｇ２，４０Ｂ２の表示階調が「４」、セグメント４０Ｒ３，４０Ｇ３，４０Ｂ３の表示階調が「８」、セグメント４０Ｗ２の表示階調が「２」、セグメント４０Ｗ３の表示階調が「４」となる。この結果として、画素４２の階調値は「２０」となる。このとき、３ビット深度（８階調）の階調表現が可能な画素４２における見かけ上の表示階調値は「６．６７」となる。
【０２１３】
また、図２９Ｖに示す表示パターンＶでは、セグメント４０Ｒ１，４０Ｇ１，４０Ｂ１の表示階調が「２」、セグメント４０Ｒ２，４０Ｇ２，４０Ｂ２の表示階調が「４」、セグメント４０Ｒ３，４０Ｇ３，４０Ｂ３の表示階調が「８」、セグメント４０Ｗ１の表示階調が「１」、セグメント４０Ｗ２の表示階調が「２」、セグメント４０Ｗ３の表示階調が「４」となる。この結果として、画素４２の階調値は「２１」となる。このとき、３ビット深度（８階調）の階調表現が可能な画素４２における見かけ上の表示階調値は「７．００」となる。
【０２１４】
上述したように、本実施形態において、階調処理部２０ｄの第１ビット演算部２０１ｄは、５ビット深度（３２階調）のＲＧＢ信号の各階調データの１ｂｉｔ目の値を２ｂｉｔ目の値に加算した後、１ｂｉｔ目以下を切り捨てて３ビット深度（８階調）とし、表示パネル３０ｄに出力する。また、階調処理部２０ｄの第２ビット演算部２０２ｄは、５ビット深度（３２階調）のＷ信号の階調データの０ｂｉｔ目の値を２ｂｉｔ目の値に加算した後、１ｂｉｔ目以下を切り捨てて３ビット深度（８階調）とし、表示パネル３０ｄに出力する。これにより、画素４２の表示階調数が８、すなわち３ビット深度（８階調）の階調表現が可能な表示パネル３０ｄ上において視認される見かけの階調を２２段階とすることができる。
【０２１５】
特に、上述したように、例えば、表示パネル３０ｄとして、Ｒ副画素、Ｇ副画素、Ｂ副画素、及びＷ副画素がそれぞれ１：２：４の面積比を有する３つのセグメントで構成され、各セグメント毎に２値のデータを記憶可能なメモリを有するＭＩＰパネルを採用した構成において、Ｒ副画素、Ｇ副画素、Ｂ副画素の表示輝度とＷ副画素の表示輝度との比が２：１である構成に好適である。
【０２１６】
なお、階調処理部２０ｄの第１ビット演算部２０１ｄにおいて、５ビット深度（３２階調）のＲＧＢ信号の各階調データの０ｂｉｔ目の値を２ｂｉｔ目の値に加算した後、１ｂｉｔ目以下を切り捨てて３ビット深度（８階調）とし、階調処理部２０ｄの第２ビット演算部２０２ｄにおいて、５ビット深度（３２階調）のＷ信号の階調データの１ｂｉｔ目の値を２ｂｉｔ目の値に加算した後、１ｂｉｔ目以下を切り捨てて３ビット深度（８階調）とする態様であっても良い。この場合には、Ｒ副画素、Ｇ副画素、Ｂ副画素の表示輝度とＷ副画素の表示輝度との比を１：２とすれば良い。具体的に、セグメント４０Ｒ１，４０Ｇ１，４０Ｂ１の表示輝度とセグメント４０Ｗ１の表示輝度との比、セグメント４０Ｒ２，４０Ｇ２，４０Ｂ２の表示輝度とセグメント４０Ｗ２の表示輝度との比、セグメント４０Ｒ３，４０Ｇ３，４０Ｂ３の表示輝度とセグメント４０Ｗ３の表示輝度との比を、それぞれ１：２とすれば良い。
【０２１７】
以上説明したように、実施形態４に係る表示装置１ｄは、Ｒ（赤）副画素４０Ｒ（第１画素）、Ｇ（緑）副画素４０Ｇ（第２画素）、Ｂ（青）副画素４０Ｂ（第３画素）の３原色の各副画素に加え、Ｗ（白）副画素４０Ｗ（第４画素）を含む複数の画素４０で構成され、Ｒ（赤）副画素４０Ｒ（第１画素）、Ｇ（緑）副画素４０Ｇ（第２画素）、Ｂ（青）副画素４０Ｂ（第３画素）の表示輝度とＷ（白）副画素４０Ｗ（第４画素）の表示輝度との比が２：１である表示パネル３０ｄと、Ｒ（赤）、Ｇ（緑）、Ｂ（青）の各階調データを含む画像信号を、Ｒ（赤）、Ｇ（緑）、Ｂ（青）の各階調データを含むＲＧＢ信号（第１信号）、及び、Ｗ（白）の階調データを含むＷ信号（第２信号）に変換して出力する信号処理部１００ｄと、を備える。信号処理部１００ｄは、画像信号の各階調データが同じ値であるとき、ＲＧＢ信号（第１信号）の各階調データとＷ信号（第２信号）の階調データとが、互いに同じ値となる場合と、互いに１だけずれた値となる場合とが混在する。信号処理部１００ｄは、第１ビット深度（５ビット深度）のＲＧＢ信号（第１信号）及びＷ信号（第２信号）の階調データを、第１ビット深度よりも小さい第２ビット深度（３ビット深度）に変換する階調処理部２０ｄを備える。
【０２１８】
上記構成において、階調処理部２０ｄは、第１ビット深度（５ビット深度）のＲＧＢ信号（第１信号）の各階調データの１ｂｉｔ目の値を２ｂｉｔ目に加算した後、１ｂｉｔ目以下を切り捨てて第２ビット深度（３ビット深度）とし、第１ビット深度（５ビット深度）のＷ信号（第２信号）の階調データの０ｂｉｔ目の値を２ｂｉｔ目に加算した後、１ｂｉｔ目以下を切り捨てて第２ビット深度（３ビット深度）とする。
【０２１９】
又は、階調処理部２０ｄは、第１ビット深度（５ビット深度）のＲＧＢ信号（第１信号）の各階調データの０ｂｉｔ目の値を２ｂｉｔ目に加算した後、１ｂｉｔ目以下を切り捨てて第２ビット深度（３ビット深度）とし、第１ビット深度（５ビット深度）のＷ信号（第２信号）の階調データの１ｂｉｔ目の値を２ｂｉｔ目に加算した後、１ｂｉｔ目以下を切り捨てて第２ビット深度（３ビット深度）とする。
【０２２０】
また、上記構成において、Ｒ（赤）副画素（第１画素）、Ｇ（緑）副画素（第２画素）、Ｂ（青）副画素（第３画素）、及びＷ（白）副画素（第４画素）は、それぞれ所定の面積比を有する複数のセグメントで構成され、セグメント毎に２値のデータを記憶可能なメモリを有する。表示パネル３０ｄは、ＲＧＢ信号（第１信号）の各階調データ及びＷ信号（第２信号）の階調データに応じた複数の表示パターンで表示する。
【０２２１】
これにより、第２ビット深度（３ビット深度、すなわち８階調）の階調表現が可能な表示パネル３０ｄにおいて、各階調値の中間値を表現することができ、表示パネル３０ｄ上において視認される見かけの階調を実施形態３よりも増加させることができる。
【０２２２】
本実施形態により、表示パネル３０ｄの表示階調よりも高い階調表現が可能な表示装置１ｄを得ることができる。
【０２２３】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【符号の説明】
【０２２４】
１，１ａ，１ｂ，１ｃ，１ｄ  表示装置
１０，１０ａ，１０ｂ，１０ｃ，１０ｄ  画像処理部
２０，２０ｂ，２０ｃ，２０ｄ  階調処理部
３０，３０ｂ，３０ｃ，３０ｄ  表示パネル
３０ａ  表示領域
４０  画素
４０Ｒ  Ｒ副画素（第１画素）
４０Ｒ１，４０Ｒ２，４０Ｒ３  セグメント
４０Ｇ  Ｇ副画素（第２画素）
４０Ｇ１，４０Ｇ２，４０Ｇ３  セグメント
４０Ｂ  Ｂ副画素（第３画素）
４０Ｂ１，４０Ｂ２，４０Ｂ３  セグメント
４０Ｗ  Ｗ副画素（第４画素）
４０Ｗ１，４０Ｗ２，４０Ｗ３  セグメント
４１  画素群
４２  画素
５０  ＦＲＣ制御部
１００，１００ａ，１００ｂ，１００ｃ，１００ｄ  信号処理部
【図１】
2020144198.tif 000003
【図２】
2020144198.tif 000004
【図３】
2020144198.tif 000005
【図４】
2020144198.tif 000006
【図５】
2020144198.tif 000007
【図６】
2020144198.tif 000008
【図７】
2020144198.tif 000009
【図８Ａ】
2020144198.tif 000010
【図８Ｂ】
2020144198.tif 000011
【図８Ｃ】
2020144198.tif 000012
【図９】
2020144198.tif 000013
【図１０】
2020144198.tif 000014
【図１１】
2020144198.tif 000015
【図１２】
2020144198.tif 000016
【図１３】
2020144198.tif 000017
【図１４】
2020144198.tif 000018
【図１５】
2020144198.tif 000019
【図１６Ａ】
2020144198.tif 000020
【図１６Ｂ】
2020144198.tif 000021
【図１６Ｃ】
2020144198.tif 000022
【図１６Ｄ】
2020144198.tif 000023
【図１６Ｅ】
2020144198.tif 000024
【図１６Ｆ】
2020144198.tif 000025
【図１６Ｇ】
2020144198.tif 000026
【図１６Ｈ】
2020144198.tif 000027
【図１７】
2020144198.tif 000028
【図１８】
2020144198.tif 000029
【図１９】
2020144198.tif 000030
【図２０】
2020144198.tif 000031
【図２１】
2020144198.tif 000032
【図２２】
2020144198.tif 000033
【図２３Ａ】
2020144198.tif 000034
【図２３Ｂ】
2020144198.tif 000035
【図２３Ｃ】
2020144198.tif 000036
【図２３Ｄ】
2020144198.tif 000037
【図２３Ｅ】
2020144198.tif 000038
【図２３Ｆ】
2020144198.tif 000039
【図２３Ｇ】
2020144198.tif 000040
【図２３Ｈ】
2020144198.tif 000041
【図２３Ｉ】
2020144198.tif 000042
【図２３Ｊ】
2020144198.tif 000043
【図２３Ｋ】
2020144198.tif 000044
【図２３Ｌ】
2020144198.tif 000045
【図２３Ｍ】
2020144198.tif 000046
【図２３Ｎ】
2020144198.tif 000047
【図２３Ｏ】
2020144198.tif 000048
【図２４】
2020144198.tif 000049
【図２５】
2020144198.tif 000050
【図２６】
2020144198.tif 000051
【図２７】
2020144198.tif 000052
【図２８】
2020144198.tif 000053
【図２９Ａ】
2020144198.tif 000054
【図２９Ｂ】
2020144198.tif 000055
【図２９Ｃ】
2020144198.tif 000056
【図２９Ｄ】
2020144198.tif 000057
【図２９Ｅ】
2020144198.tif 000058
【図２９Ｆ】
2020144198.tif 000059
【図２９Ｇ】
2020144198.tif 000060
【図２９Ｈ】
2020144198.tif 000061
【図２９Ｉ】
2020144198.tif 000062
【図２９Ｊ】
2020144198.tif 000063
【図２９Ｋ】
2020144198.tif 000064
【図２９Ｌ】
2020144198.tif 000065
【図２９Ｍ】
2020144198.tif 000066
【図２９Ｎ】
2020144198.tif 000067
【図２９Ｏ】
2020144198.tif 000068
【図２９Ｐ】
2020144198.tif 000069
【図２９Ｑ】
2020144198.tif 000070
【図２９Ｒ】
2020144198.tif 000071
【図２９Ｓ】
2020144198.tif 000072
【図２９Ｔ】
2020144198.tif 000073
【図２９Ｕ】
2020144198.tif 000074
【図２９Ｖ】
2020144198.tif 000075